(57)【要約】【課題】メニュー表示無しにＤＶＤ−ＶＩＤＥＯディスクのビデオコンテンツ中の音声を再生する。【解決手段】ノンビデオナビゲーションマネージャ１１のプレゼンテーションシーケンス制御ユニット１１１は、ＤＶＤ−ＶＩＤＥＯディスク１中の、タイトルメニューを表示するＶＭＧＭ＿ＰＧからタイトル再生用のボタンコマンドを抽出する。そして、所定の順序で、抽出したボタンコマンドを選択し、ボタンコマンドが示すタイトルの再生をナビゲーション制御ユニット１１２に指示する。ナビゲーション制御ユニット１１２は、タイトル再生用のＶＴＳ＿ＰＧＣに従って、プレゼンテーションエンジン１１にタイトルの音声データを音声出力装置１４に再生出力させる。【選択図】図１
2004007423.tif 000002
【特許請求の範囲】
【請求項１】
音声と動画を含み所定の再生単位の集合として構成されたビデオコンテンツと、メニューを表示して再生出力する再生単位の選択をユーザから受け付けるべきことを規定するメニュー情報とが記録された記録媒体の再生装置であって、
前記メニュー情報に従って前記メニューを表示して再生出力する再生単位の選択をユーザから受け付けるべき場合に、ユーザの前記再生出力する再生単位の選択を受け付けることなく、前記記録媒体に記憶された再生単位のうちから、再生の対象とする前記再生単位を再生対象再生単位として選定する再生単位選定部と、
選定された前記再生対象再生単位の音声と動画のうちの少なくとも音声を、再生出力する再生部とを有することを特徴とするビデオコンテンツ記憶媒体の再生装置。
【請求項２】
請求項１記載のビデオコンテンツ記憶媒体の再生装置であって、
前記再生単位選定部は、前記メニュー情報を抽出し、抽出したメニュー情報を解析し、当該メニュー情報が規定するメニューの表示上でユーザが選択可能な再生単位を、前記再生対象再生単位として選定することを特徴とするビデオコンテンツ記憶媒体の再生装置。
【請求項３】
請求項２記載のビデオコンテンツ記憶媒体の再生装置であって、
前記再生単位選定部は、表示したメニューを規定するメニュー情報が、当該メニューの表示をユーザ操作があるまで無限に静止させるべきことを規定するスチル情報を含む場合に、当該表示したメニューのメニュー情報を解析し、当該メニュー情報が規定するメニューの表示上でユーザが選択可能な再生単位を、前記再生対象再生単位として選定することを特徴とするビデオコンテンツ記憶媒体の再生装置。
【請求項４】
請求項２記載のビデオコンテンツ記憶媒体の再生装置であって、
前記再生単位選定部は、表示したメニューを規定するメニュー情報が、当該メニューの表示をユーザ操作があるまで無限に繰り返すべきことを規定するループ情報を含む場合に、当該表示したメニューのメニュー情報を解析し、当該メニュー情報が規定するメニューの表示上でユーザが選択可能な再生単位を、前記再生対象再生単位として選定することを特徴とするビデオコンテンツ記憶媒体の再生装置。
【請求項５】
請求項１記載のビデオコンテンツ記憶媒体の再生装置であって、
前記再生単位を、再生単位の記録順に従った順序と、再生単位の再生時間の長さによって定まる順序と、ランダムな順序との内の、いずれの順序で再生出力するかの設定をユーザから受け付ける再生順序受付部を有し、
前記再生単位選定部は、順次、設定された順序で、前記再生単位を、前記再生対象再生単位として選定することを特徴とするビデオコンテンツ記憶媒体の再生装置。
【請求項６】
請求項２記載のビデオコンテンツ記憶媒体の再生装置であって、
前記再生単位を、再生単位の記録順に従った順序と、再生単位の再生時間の長さによって定まる順序と、ランダムな順序との内の、いずれの順序で再生出力するかの設定をユーザから受け付ける再生順序受付部を有し、
前記再生単位選定部は、前記メニュー情報が規定するメニューの表示上でユーザが選択可能な再生単位を、順次、設定された順序で、前記再生対象再生単位として選定することを特徴とするビデオコンテンツ記憶媒体の再生装置。
【請求項７】
請求項２記載のビデオコンテンツ記憶媒体の再生装置であって、
前記記憶媒体は、ＤＶＤ−ＶＩＤＥＯディスクであって、
前記再生単位選定部は、当該再生装置にＤＶＤ−ＶＩＤＥＯディスクが装着された場合に、ＤＶＤ−ＶＩＤＥＯディスクに記録されている、ユーザから再生出力するタイトルの選択を受け付けるために表示されるタイトルメニューを規定するタイトルメニュー情報を前記メニュー情報として抽出し、抽出したタイトルメニュー情報を解析して当該タイトルメニューでユーザが選択可能なタイトルを、前記再生対象再生単位として選定し、
前記再生部は、当該再生装置にＤＶＤ−ＡＵＤＩＯディスクが装着された場合に、装着されたＤＶＤ−ＡＵＤＩＯディスクに記録された音声を再生出力し、当該再生装置にＤＶＤ−ＶＩＤＥＯディスクが装着された場合に、選定された前記再生対象再生単位の音声と動画のうちの音声のみを再生出力することを特徴とするビデオコンテンツ記憶媒体の再生装置。
【請求項８】
請求項２記載のビデオコンテンツ記憶媒体の再生装置であって、
前記記憶媒体は、ＤＶＤ−ＶＩＤＥＯディスクであって、
前記再生単位選定部は、当該再生装置にＤＶＤ−ＶＩＤＥＯディスクが装着された場合に、ＤＶＤ−ＶＩＤＥＯディスクに記録されている、ユーザから再生出力するチャプターの選択を受け付けるために表示されるパートオブタイトルメニューを規定するパートオブタイトルメニュー情報を前記メニュー情報として抽出し、抽出したパートオブタイトルメニュー情報を解析して当該パートオブタイトルメニューでユーザが選択可能なチャプターを、前記再生対象再生単位として選定し、
前記再生部は、当該再生装置にＤＶＤ−ＡＵＤＩＯディスクが装着された場合に、装着されたＤＶＤ−ＡＵＤＩＯディスクに記録された音声を再生出力し、当該再生装置にＤＶＤ−ＶＩＤＥＯディスクが装着された場合に、選定された前記再生対象再生単位の音声と動画のうちの音声のみを再生出力することを特徴とするビデオコンテンツ記憶媒体の再生装置。
【請求項９】
請求項１記載のビデオコンテンツ記憶媒体の再生装置であって、
前記記憶媒体は、ＤＶＤ−ＶＩＤＥＯディスクであって、
前記再生単位選定部は、当該再生装置にＤＶＤ−ＶＩＤＥＯディスクが装着された場合に、ＤＶＤ−ＶＩＤＥＯディスクに記録されている、プログラム又はプログラムチェイン又はパートオブタイトル又はタイトルを、前記再生対象再生単位として選定し、
前記再生部は、当該再生装置にＤＶＤ−ＡＵＤＩＯディスクが装着された場合に、装着されたＤＶＤ−ＡＵＤＩＯディスクに記録された音声を再生出力し、当該再生装置にＤＶＤ−ＶＩＤＥＯディスクが装着された場合に、選定された前記再生対象再生単位の音声と動画のうちの音声のみを再生出力することを特徴とするビデオコンテンツ記憶媒体の再生装置。
【請求項１０】
請求項２記載のビデオコンテンツ記憶媒体の再生装置であって、
前記記憶媒体は、ＤＶＤ−ＶＩＤＥＯディスクであって、
前記再生単位選定部は、当該再生装置にＤＶＤ−ＶＩＤＥＯディスクが装着された場合に、ＤＶＤ−ＶＩＤＥＯディスクに記録されている、ユーザから再生出力するタイトルの選択を受け付けるために表示されるタイトルメニューを規定するタイトルメニュー情報を前記メニュー情報として抽出し、抽出したタイトルメニュー情報を解析して当該タイトルメニューでユーザが選択可能なタイトルを、前記再生対象再生単位として選定し、
前記再生部は、当該再生装置にＤＶＤ−ＶＩＤＥＯディスクが装着された場合に、選定された前記再生対象再生単位を再生出力することを特徴とするビデオコンテンツ記憶媒体の再生装置。
【請求項１１】
請求項２記載のビデオコンテンツ記憶媒体の再生装置であって、
前記記憶媒体は、ＤＶＤ−ＶＩＤＥＯディスクであって、
前記再生単位選定部は、当該再生装置にＤＶＤ−ＶＩＤＥＯディスクが装着された場合に、ＤＶＤ−ＶＩＤＥＯディスクに記録されている、ユーザから再生出力するチャプターの選択を受け付けるために表示されるパートオブタイトルメニューを規定するパートオブタイトルメニュー情報を前記メニュー情報として抽出し、抽出したパートオブタイトルメニュー情報を解析して当該パートオブタイトルメニューでユーザが選択可能なチャプターを、前記再生対象再生単位として選定し、
前記再生部は、当該再生装置にＤＶＤ−ＶＩＤＥＯディスクが装着された場合に、選定された前記再生対象再生単位を再生出力することを特徴とするビデオコンテンツ記憶媒体の再生装置。
【請求項１２】
請求項１記載のビデオコンテンツ記憶媒体の再生装置であって、
前記記憶媒体は、ＤＶＤ−ＶＩＤＥＯディスクであって、
前記再生単位選定部は、当該再生装置にＤＶＤ−ＶＩＤＥＯディスクが装着された場合に、ＤＶＤ−ＶＩＤＥＯディスクに記録されている、プログラム又はプログラムチェイン又はパートオブタイトル又はタイトルを、前記再生対象再生単位として選定し、
前記再生部は、当該再生装置にＤＶＤ−ＶＩＤＥＯディスクが装着された場合に、選定された前記再生対象再生単位を再生出力することを特徴とするビデオコンテンツ記憶媒体の再生装置。
【請求項１３】
車両に搭載されるＤＶＤビデオ再生装置であって、
車両に搭載された状態において、車両が走行中であるかどうかを検出する手段と、
ＤＶＤ−ＶＩＤＥＯディスクに記録された、複数の再生区間の集合であるビデオコンテンツの動画及び音声を再生出力するビデオ再生処理部と、
ＤＶＤ−ＶＩＤＥＯディスクに記録されたビデオコンテンツを再生出力する再生区間を順次選択し、選択した再生区間の動画を再生出力せずに、選択した再生区間の音声を再生出力する無表示再生処理部と、
車両が停車中であった場合に、前記ビデオ再生処理部に再生出力を行わせ、車両が走行中であった場合に、前記無表示再生処理部に再生出力を行わせる制御手段とを有することを特徴とするＤＶＤビデオ再生装置。
【請求項１４】
音声と動画を含み所定の再生単位の集合として構成されたビデオコンテンツと、メニューを表示して再生出力する再生単位の選択をユーザから受け付けるべきことを規定するメニュー情報とが記録された記録媒体の再生方法であって、
前記メニュー情報に従って前記メニューを表示して再生出力する再生単位の選択をユーザから受け付けるべき場合に、ユーザの前記再生出力する再生単位の選択を受け付けることなく、前記記録媒体に記録されている前記再生単位のうちから、再生の対象とする前記再生単位を再生対象再生単位として選定する選定ステップと、
選定された前記再生対象再生単位の音声と動画のうちの少なくとも音声を、再生出力する再生出力ステップとを有することを特徴とするビデオコンテンツ記憶媒体の再生方法。
【請求項１５】
請求項１４記載のビデオコンテンツ記憶媒体の再生方法であって、
前記選定ステップにおいて、前記メニュー情報を抽出し、抽出したメニュー情報を解析し、当該メニュー情報が規定するメニューの表示上でユーザが選択可能な再生単位を、前記再生対象再生単位として選定することを特徴とするビデオコンテンツ記憶媒体の再生方法。
【請求項１６】
請求項１５記載のビデオコンテンツ記憶媒体の再生方法であって、前記選定ステップは、表示したメニューを規定するメニュー情報が、ユーザ操作があるまで、当該メニューの表示以降に再生を進めないように規定する再生制御情報を含む場合に、当該表示したメニューのメニュー情報を解析し、当該メニュー情報が規定するメニューの表示上でユーザが選択可能な再生単位を、前記再生対象再生単位として選定するステップであることを特徴とするビデオコンテンツ記憶媒体の再生方法。
【請求項１７】
音声と動画を含み所定の再生単位の集合として構成されたビデオコンテンツと、メニューを表示して再生出力する再生単位の選択をユーザから受け付けるべきことを規定するメニュー情報とが記録された記録媒体の再生をコンピュータに実行させるコンピュータプログラムであって、
前記メニュー情報に従って前記メニューを表示して再生出力する再生単位の選択をユーザから受け付けるべき場合に、ユーザの前記再生出力する再生単位の選択を受け付けることなく、前記記録媒体に記録されている前記再生単位のうちから、再生の対象とする前記再生単位を再生対象再生単位として選定する選定ステップと、選定された前記再生対象再生単位の音声と動画のうちの少なくとも音声を、再生出力する再生出力ステップとコンピュータに実行させるコンピュータプログラムを記憶したコンピュータ読みとり可能な媒体。
【請求項１８】
請求項１７記載のコンピュータ読みとり可能な媒体であって、
前記選定ステップにおいて、前記メニュー情報を抽出し、抽出したメニュー情報を解析し、当該メニュー情報が規定するメニューの表示上でユーザが選択可能な再生単位を、前記再生対象再生単位として選定することを特徴とするコンピュータ読みとり可能な媒体。
【請求項１９】
請求項１７記載のコンピュータ読みとり可能な媒体であって、
前記選定ステップは、表示したメニューを規定するメニュー情報が、ユーザ操作があるまで、当該メニューの表示以降に再生を進めないように規定する再生制御情報を含む場合に、当該表示したメニューのメニュー情報を解析し、当該メニュー情報が規定するメニューの表示上でユーザが選択可能な再生単位を、前記再生対象再生単位として選定するステップであることを特徴とするコンピュータ読みとり可能な媒体。
【請求項２０】
コンピュータによって読みとられ実行されるコンピュータプログラムであって、
音声と動画を含み所定の再生単位の集合として構成されたビデオコンテンツと、メニューを表示して再生出力する再生単位の選択をユーザから受け付けるべきことを規定するメニュー情報とが記録された記録媒体体に記録されている前記再生単位のうちから、前記メニュー情報に従って前記メニューを表示して再生出力する再生単位の選択をユーザから受け付けるべき場合に、ユーザの前記再生出力する再生単位の選択を受け付けることなく、再生の対象とする前記再生単位を再生対象再生単位として選定する選定ステップと、選定された前記再生対象再生単位の音声と動画のうちの少なくとも音声を、再生出力する再生出力ステップとコンピュータに実行させるコンピュータプログラム。
【請求項２１】
請求項１７記載のコンピュータ読みとり可能な媒体であって、
前記選定ステップにおいて、前記メニュー情報を抽出し、抽出したメニュー情報を解析し、当該メニュー情報が規定するメニューの表示上でユーザが選択可能な再生単位を、前記再生対象再生単位として選定することを特徴とするコンピュータ読みとり可能な媒体。
【請求項２２】
請求項２１記載のコンピュータプログラムであって、
前記選定ステップは、表示したメニューを規定するメニュー情報が、ユーザ操作があるまで、当該メニューの表示以降に再生を進めないように規定する再生制御情報を含む場合に、当該表示したメニューのメニュー情報を解析し、当該メニュー情報が規定するメニューの表示上でユーザが選択可能な再生単位を、前記再生対象再生単位として選定するステップであることを特徴とするコンピュータプログラム。
【発明の詳細な説明】
【０００１】
【発明の属する技術分野】
本発明は、ＤＶＤ−ＶＩＤＥＯディスクの再生を制御する技術に関するものである。
【０００２】
【従来の技術】
記憶媒体に記憶された音声を再生するオーディオ装置としては、従来より、ビデオコンテンツ等を記憶したＤＶＤ−ＶＩＤＥＯディスクを再生するＤＶＤビデオ再生装置や、オーディオコンテンツ等を記憶したＤＶＤ−ＡＵＤＩＯディスクを再生するＤＶＤオーディオ再生装置が知られている。
【０００３】
ＤＶＤ−ＶＩＤＥＯディスクとはＤＶＤ−ＶＩＤＥＯ規格に従った記録済みの記憶媒体を指し、ＤＶＤ−ＡＵＤＩＯディスクとはＤＶＤ−ＡＵＤＩＯ規格に従った記録済みの記憶媒体を指す。ＤＶＤ−ＶＩＤＥＯ規格とＤＶＤ−ＡＵＤＩＯ規格とは、その物理規格とファイル規格とを共通にしており、両者の違いはアプリケーション規格の相違のみである。また、このアプリケーション規格も両者の互換性を考慮して可能な限り共通化されている。
【０００４】
ここで、ＤＶＤ−ＡＵＤＩＯディスクにはオーディオコンテンツの他にビデオコンテンツも記録可能であり、このＤＶＤ−ＡＵＤＩＯディスクに記録されたビデオコンテンツはＤＶＤビデオ再生装置によって再生可能なフォーマットで記録される。また、ＤＶＤ−ＡＵＤＩＯディスクに記録されたビデオコンテンツのオーディオ部分は、ＤＶＤオーディオ再生装置において再生可能とされている。
【０００５】
図２４に、このＤＶＤ−ＡＵＤＩＯディスクに記録されたビデオプレゼンテーションデータとオーディオプレゼンテーションデータの関係を示す。
ＤＶＤ−ＡＵＤＩＯディスクは、ビデオゾーンとオーディオゾーンを有する。
そして、図示するように、オーディオゾーンには、ＤＶＤ−ＡＵＤＩＯ規格に従ってオーディオコンテンツＡＵＤＩＯが記憶される。また、ビデオゾーンにはＤＶＤ−ＶＩＤＥＯ規格に準拠し、一部制限を設けた規格（ＤＶＤ−ＶＩＤＥＯ規格のサブセット）に従ってビデオコンテンツＶＩＤＥＯが記憶されている。
【０００６】
したがって、ＤＶＤビデオ再生装置は、このＤＶＤ−ＡＵＤＩＯディスクのビデオゾーンにＤＶＤ−ＶＩＤＥＯ規格に準拠して記録されたビデオコンテンツを再生することができる。なお、ビデオとは、動画と音声とを含むメディアである。
ここで、ビデオコンテンツは、以下のような構造を有する。
すなわち、ビデオコンテンツは、１以上のビデオタイトルＶＴＴよりなり、各ビデオタイトルは１以上のプログラムチェインＰＧＣよりなり、各ＰＧＣは１以上のプログラムＰＧの再生順序を規定するものである。そして、各ＰＧは１または複数のビデオタイトルセットセルＶＴＳ＿ＣＥＬＬよりなり、各ＶＴＳ＿ＣＥＬＬは１以上のビデオオブジェクトセットユニットＶＯＢＵよりなり、各ＶＯＢＵには動画データＶ＿ＰＡＣＫ、音声データＡ＿ＰＡＣＫが格納されている。
【０００７】
ＤＶＤビデオ再生装置では、ＰＧＣの再生順序を制御し、各ＰＧＣに従って各ＰＧを再生することにより、動画データと音声データとよりなるビデオコンテンツを、ビデオタイトル単位やその他の単位で再生することができる。
一方、オーディオコンテンツは、以下のような構造を有する。
すなわち、オーディオコンテンツは、１以上のオーディオタイトルＡＯＴＴと０以上のオーディオウイズビデオタイトルＡＶＴＴよりなる。
そして、各ＡＯＴＴは１以上のプログラムチェインＰＧＣよりなり、各ＰＧＣは１以上のプログラムＰＧの再生順序を規定するものである。ここで、このＡＯＴＴ中のＰＧには２種類ある。
一つは、１以上のオーディオタイトルセットセルＡＴＳ＿ＣＥＬＬよりなるＰＧであり、このＡＴＳ＿ＣＥＬＬは１以上のオーディオブジェクトセットユニットＡＯＢＵよりなり、各ＡＯＢＵには音声データＡ＿ＰＡＣＫが格納されている。このＰＧの再生時には、ＡＴＳ＿ＣＥＬＬ中のＡＯＢＵのＡ＿ＰＡＣＫの音声データが再生される。
【０００８】
もう一つは、ＡＴＳ＿ＣＥＬＬの代わりにビデオゾーン中のＶＴＳ＿ＣＥＬＬを参照するＰＧであり、このＰＧの再生時には、参照するＶＴＳ＿ＣＥＬＬ中のＶＯＢＵのＡ＿ＰＡＣＫの音声データのみが再生される。
次に、オーディオウイズビデオタイトルＡＶＴＴは、１以上のプログラムチェインＰＧＣよりなり、ＰＧＣは１以上のプログラムＰＧの再生順を規定するものである。ＡＶＴＴ中の各ＰＧは、ビデオゾーン中のＶＴＳ＿ＣＥＬＬを参照するＰＧであり、このＰＧの再生時には、参照するＶＴＳ＿ＣＥＬＬ中のＶＯＢＵのＶ＿ＰＡＣＫの動画データとＡ＿ＰＡＣＫの音声データが再生される。ただし、このＡＶＴＴの動画データの再生は、ビデオ再生機能を備えたＤＶＤオーディオ再生装置においてのみ可能である。
【０００９】
ここで、オーディオコンテンツに対しては、１以上のＡＯＴＴからなるグループＧｒと、ＰＧに対応するトラックＴＲＡＣＫとが定義されており、ＤＶＤオーディオ再生装置では、各ＰＧＣに従って各ＰＧを再生したり、ユーザより指定されたＧｒとＴＲＡＣＫで示されるＰＧの再生を行うことによりＡＯＴＴやＡＶＴＴ中の音声データの再生を行う。また、さらに、ビデオ再生機能を備えたＤＶＤオーディオ再生装置では、各ＰＧＣに従って各ＰＧを再生したり、ユーザより指定されたグループとトラックで示されるＰＧの再生を行うことによりＡＶＴＴ中の動画データと音声データの再生をも行う。
【００１０】
【発明が解決しようとする課題】
以上のように、ＤＶＤ−ＡＵＤＩＯディスクのビデオゾーンには、ＤＶＤ−ＶＩＤＥＯ規格に準拠してビデオコンテンツが記録されており、ＤＶＤオーディオ再生装置では、このビデオゾーンの音声データの再生を行うことができる。しかし、ビデオ再生機能を備えていないＤＶＤオーディオ再生装置において、ＤＶＤ−ＡＵＤＩＯディスクのビデオゾーンと同様にＤＶＤ−ＶＩＤＥＯ規格に準拠してビデオコンテンツが記録されたＤＶＤ−ＶＩＤＥＯディスクの音声データの再生を行おうとすると次のような問題が生じる。
【００１１】
すなわち、ＤＶＤ−ＶＩＤＥＯ規格では、動画データ、静止画データ、ボタンデータの組み合わせとしてメニューを定義しておき、ＤＶＤ−ＶＩＤＥＯディスクの再生時は、ＤＶＤ−ＶＩＤＥＯディスク中の定義に従いメニューを表示し、メニューの表示上でユーザからの再生操作の受付を行うことが可能である。そして、このようなメニューの表示やメニュー上でのユーザ操作が、ＤＶＤ−ＶＩＤＥＯディスクの利用に際し、再生を開始または再生の継続のために必須となる場合もある。たとえば、ＤＶＤ−ＶＩＤＥＯディスク再生開始後に、まずタイトルメニューを表示し、ユーザより再生するタイトルの指定を受け付け、受け付けたタイトルの再生を行うような定義を含むＤＶＤ−ＶＩＤＥＯディスクの場合、最初にタイトルメニュー上でユーザがタイトルを選択することが、そのＤＶＤ−ＶＩＤＥＯディスクを利用するために必要となる。
【００１２】
一方で、ＤＶＤオーディオ再生装置は、ＤＶＤ−ＡＵＤＩＯ規格上に無い、このようなメニューの表示の機能や、メニュー上で操作を受け付けるための機能を持たない。たとえば、ビデオ再生機能を備えたＤＶＤオーディオ再生装置以外では、動画データを含んで定義されるメニューの表示すら行うことはできないし、ＤＶＤオーディオ専用の再生装置では、そのようなメニューを表示できるような表示装置さえ備えていない場合が多い。
【００１３】
したがって、このようにメニューを表示できないＤＶＤオーディオ再生装置では、ＤＶＤ−ＶＩＤＥＯディスクの音声データを再生することができない場合がある。
また、同様に、たとえばＤＶＤビデオ再生装置でＤＶＤ−ＶＩＤＥＯディスクを再生する場合であっても、ＤＶＤビデオ再生装置に正常な表示装置が接続されていない場合や、表示出力を行うことが適当でない状況では、メニューの表示を行えないために、ＤＶＤ−ＶＩＤＥＯディスクの音声データだけを再生しようとしても、これを行うことができない場合がある。
【００１４】
また、ＤＶＤビデオ再生装置でＤＶＤ−ＶＩＤＥＯディスクを再生する場合において、表示装置を備えメニューの表示を行える場合であっても、ユーザが、子供やお年寄りなどＤＶＤビデオ再生装置の操作に慣れていない場合や、メニューの表示がユーザが習得していない外国語で成されている場合等には、どのようにメニュー操作を行えば分からないために、ＤＶＤ−ＶＩＤＥＯディスクを再生して利用することができないことがある。また、ユーザが何らかの事情でメニュー操作を行うことができない状況にある場合にも、同様に、ＤＶＤ−ＶＩＤＥＯディスクを再生して利用することができない。
【００１５】
そして、以上のような問題は、ＤＶＤ−ＶＩＤＥＯディスクに限らず、再生の開始または再生の継続のためにメニュー等の表示出力と表示上でのユーザ操作の受付を必須とする任意規格の記憶媒体の再生及び利用に対して同様に生じる。
そこで、本発明は、再生の開始または再生の継続のためにメニュー等の表示出力と表示上でのユーザ操作の受付が必須とされている場合であっても、そのような表示出力や表示上でのユーザ操作の受付を必要とせずに、記憶媒体に記録された音声やビデオといったコンテンツの再生を行うことができる再生装置を提供することを課題とする。
【００１６】
また、本発明は、メニュー等の表示出力や表示上でのユーザ操作の受付を必要とすることなしに、ＤＶＤ−ＶＩＤＥＯディスクの音声データを再生することのできるＤＶＤオーディオ再生装置を提供することを課題とする。
また、本発明は、メニュー等の表示出力や表示上でのユーザ操作の受付を必要とすることなしに、ＤＶＤ−ＶＩＤＥＯディスクを再生することのできるＤＶＤビデオ再生装置を提供することを課題とする。
【００１７】
【課題を解決するための手段】
前記課題達成のために、本発明は、たとえば、音声と動画を含み所定の再生単位の集合として構成されたビデオコンテンツと、メニューを表示して再生出力する再生単位の選択をユーザから受け付けるべきことを規定するメニュー情報とが記録された記録媒体の再生装置に、前記メニュー情報に従って前記メニューを表示して再生出力する再生単位の選択をユーザから受け付けるべき場合に、ユーザの前記再生出力する再生単位の選択を受け付けることなく、前記記録媒体に記憶された再生単位のうちから、再生の対象とする前記再生単位を再生対象再生単位として選定する再生単位選定部と、選定された前記再生対象再生単位の音声と動画のうちの少なくとも音声を、再生出力する再生部とを備えたものである。
【００１８】
このような再生装置によれば、再生する再生単位の選定に際し、メニューの表示やメニュー表示上での再生単位のユーザからの受け付けを必要としない。したがって、再生の開始または継続のためにメニューの表示上でのユーザ操作の受付が必須とされている場合であっても、ユーザ操作を必要とすること無しに、記録媒体に記録されたコンテンツを再生出力することができる。また、メニューが動画その他の画像系メディアにより構成されている場合において、その画像系メディアの再生機能を備えていない場合であっても、記録媒体に記録された動画と音声のうちの少なくとも音声を再生出力することができる。
【００１９】
より具体的には、このようなビデオコンテンツ記憶媒体の再生装置において、前記再生単位選定部は、前記メニュー情報を抽出し、抽出したメニュー情報を解析し、当該メニュー情報が規定するメニューの表示上でユーザが選択可能な再生単位を、前記再生対象再生単位として選定するようにして良い。
【００２０】
このようにメニュー情報に基づいて、再生を行うことにより、おおよそ、コンテンツのプロバイダが意図したプレゼンテーション形態による再生出力を行うことができるようになる。
また、このような再生装置において、前記再生単位選定部は、表示したメニューを規定するメニュー情報が、当該メニューの表示をユーザ操作があるまで無限に静止させるべきことを規定するスチル情報を含む場合に、当該表示したメニューのメニュー情報を解析し、当該メニュー情報が規定するメニューの表示上でユーザが選択可能な再生単位を、前記再生対象再生単位として選定するようにしたり、表示したメニューを規定するメニュー情報が、当該メニューの表示をユーザ操作があるまで無限に繰り返すべきことを規定するループ情報を含む場合に、当該表示したメニューのメニュー情報を解析し、当該メニュー情報が規定するメニューの表示上でユーザが選択可能な再生単位を、前記再生対象再生単位として選定するようにして良い。
【００２１】
このようにすることにより、基本点には、コンテンツのプロバイダが意図したプレゼンテーション形態による再生出力を行いながら、ユーザのメニュー操作が必須となる場合にのみ、自動的に再生対象再生単位を選定し、その再生を行うようにすることができる。
【００２２】
また、以上のビデオコンテンツ記憶媒体の再生装置に、前記再生単位を、再生単位の記録順に従った順序と、再生単位の再生時間の長さによって定まる順序と、ランダムな順序との内の、いずれの順序で再生出力するかの設定をユーザから受け付ける再生順序受付部を設け、前記再生単位選定部は、順次、設定された順序で、前記再生単位を、前記再生対象再生単位として選定するようにしても良い。このようにすることにより、再生単位の内容や、ユーザの嗜好に応じた再生順序で、各再生単位を再生することができるようになる。たとえば、再生単位の記録順に従った順序での再生はコンテンツが演奏ライブを記録したミュージックビデオや野球などのスポーツビデオである場合などに適し、再生単位の再生時間の長さによって定まる順序での再生は主要なコンテンツが映画ビデオである場合などに本編を最初に再生する用途に適し、ランダムな順序での再生は前記コンテンツがカラオケビデオである場合などに適している。
【００２３】
ここで、以上のようなビデオコンテンツ記憶媒体の再生装置は、ＤＶＤ−ＡＵＤＩＯディスクを再生するＤＶＤオーディオ再生装置であって良く、この場合には、たとえば、前記再生単位選定部において、当該再生装置にＤＶＤ−ＶＩＤＥＯディスクが装着された場合に、ＤＶＤ−ＶＩＤＥＯディスクに記録されている、ユーザから再生出力するタイトルの選択を受け付けるために表示されるタイトルメニューを規定するタイトルメニュー情報を前記メニュー情報として抽出し、抽出したタイトルメニュー情報を解析して当該タイトルメニューでユーザが選択可能なタイトルを、前記再生対象再生単位として選定し、前記再生部において、当該再生装置にＤＶＤ−ＡＵＤＩＯディスクが装着された場合に、装着されたＤＶＤ−ＡＵＤＩＯディスクに記録された音声を再生出力し、当該再生装置にＤＶＤ−ＶＩＤＥＯディスクが装着された場合に、選定された前記再生対象再生単位の音声と動画のうちの音声のみを再生出力するようにすればよい。
【００２４】
または、前記再生単位選定部において、当該再生装置にＤＶＤ−ＶＩＤＥＯディスクが装着された場合に、ＤＶＤ−ＶＩＤＥＯディスクに記録されている、ユーザから再生出力するチャプターの選択を受け付けるために表示されるパートオブタイトルメニューを規定するパートオブタイトルメニュー情報を前記メニュー情報として抽出し、抽出したパートオブタイトルメニュー情報を解析して当該パートオブタイトルメニューでユーザが選択可能なチャプターを、前記再生対象再生単位として選定し、前記再生部において、当該再生装置にＤＶＤ−ＡＵＤＩＯディスクが装着された場合に、装着されたＤＶＤ−ＡＵＤＩＯディスクに記録された音声を再生出力し、当該再生装置にＤＶＤ−ＶＩＤＥＯディスクが装着された場合に、選定された前記再生対象再生単位の音声と動画のうちの音声のみを再生出力するようにすることもできる。
【００２５】
または、前記再生単位選定部において、当該再生装置にＤＶＤ−ＶＩＤＥＯディスクが装着された場合に、ＤＶＤ−ＶＩＤＥＯディスクに記録されている、プログラム又はプログラムチェイン又はパートオブタイトル又はタイトルを、前記再生対象再生単位として選定し、前記再生部において、当該再生装置にＤＶＤ−ＡＵＤＩＯディスクが装着された場合に、装着されたＤＶＤ−ＡＵＤＩＯディスクに記録された音声を再生出力し、当該再生装置にＤＶＤ−ＶＩＤＥＯディスクが装着された場合に、選定された前記再生対象再生単位の音声と動画のうちの音声のみを再生出力するようにしても良い。
【００２６】
一方、以上のようなビデオコンテンツ記憶媒体の再生装置は、ＤＶＤ−ＶＩＤＥＯディスクを再生するＤＶＤビデオ再生装置であってよく、この場合には、たとえば、前記再生単位選定部において、当該再生装置にＤＶＤ−ＶＩＤＥＯディスクが装着された場合に、ＤＶＤ−ＶＩＤＥＯディスクに記録されている、ユーザから再生出力するタイトルの選択を受け付けるために表示されるタイトルメニューを規定するタイトルメニュー情報を前記メニュー情報として抽出し、抽出したタイトルメニュー情報を解析して当該タイトルメニューでユーザが選択可能なタイトルを、前記再生対象再生単位として選定し、前記再生部において、当該再生装置にＤＶＤ−ＶＩＤＥＯディスクが装着された場合に、選定された前記再生対象再生単位を再生出力するようにすれば良い。
【００２７】
または、前記再生単位選定部において、当該再生装置にＤＶＤ−ＶＩＤＥＯディスクが装着された場合に、ＤＶＤ−ＶＩＤＥＯディスクに記録されている、ユーザから再生出力するチャプターの選択を受け付けるために表示されるパートオブタイトルメニューを規定するパートオブタイトルメニュー情報を前記メニュー情報として抽出し、抽出したパートオブタイトルメニュー情報を解析して当該パートオブタイトルメニューでユーザが選択可能なチャプターを、前記再生対象再生単位として選定し、前記再生部は、当該再生装置にＤＶＤ−ＶＩＤＥＯディスクが装着された場合に、選定された前記再生対象再生単位を再生出力するようにすることもできる。
【００２８】
または、前記再生単位選定部において、当該再生装置にＤＶＤ−ＶＩＤＥＯディスクが装着された場合に、ＤＶＤ−ＶＩＤＥＯディスクに記録されている、プログラム又はプログラムチェイン又はパートオブタイトル又はタイトルを、前記再生対象再生単位として選定し、前記再生部において、当該再生装置にＤＶＤ−ＶＩＤＥＯディスクが装着された場合に、選定された前記再生対象再生単位を再生出力するようにしても良い。
【００２９】
また、併せて、本発明は、車両に搭載されるＤＶＤビデオ再生装置であって、車両に搭載された状態において、車両が走行中であるかどうかを検出する手段と、ＤＶＤ−ＶＩＤＥＯディスクに記録された、複数の再生区間の集合であるビデオコンテンツの動画及び音声を再生出力するビデオ再生処理部と、ＤＶＤ−ＶＩＤＥＯディスクに記録されたビデオコンテンツを再生出力する再生区間を順次選択し、選択した再生区間の動画を再生出力せずに、選択した再生区間の音声を再生出力する無表示再生処理部と、車両が停車中であった場合に、前記ビデオ再生処理部に再生出力を行わせ、車両が走行中であった場合に、前記無表示再生処理部に再生出力を行わせる制御手段とを有するＤＶＤビデオ再生装置を提供する。このようなＤＶＤビデオ再生装置によれば、運転者は、安全運転が妨げられない音声のみの範囲においてＤＶＤ−ＶＩＤＥＯディスクのコンテンツを楽しむことができるようになる。
【００３０】
【発明の実施の形態】
以下、本発明の実施形態について説明する。
まず、第１の実施形態について説明する。
本第１実施形態は、ＤＶＤ−ＶＩＤＥＯディスクの音声データを再生するＤＶＤビデオ音声再生装置についてのものである。
図１に、ＤＶＤビデオ音声再生装置の構成を示す。
図示するように、ＤＶＤビデオ音声再生装置は、ＤＶＤ−ＶＩＤＥＯディスク１にリードアクセスするＤＶＤ−ＲＯＭドライバ１０、ノンビデオナビゲーションマネージャ１１、音声データの再生出力を行うプレゼンテーションエンジン１２、スピーカ等の音声出力装置１４、リモートコントローラなどのユーザインタフェース１３を有する。
【００３１】
ＤＶＤ−ＶＩＤＥＯディスク１は、ＤＶＤ−ＲＯＭ規格（物理規格）に従ったリードイン領域とリードアウト領域とその間のデータ領域とを有し、データ領域には、ＵＤＦ−Ｂｒｉｄｇｅ規格（ファイル規格）に従ってボリューム及びファイル構造を記述したボリューム及びファイル構造領域が設けられている。また、データ領域には、複数のファイルよりなるファイル群が格納されており、これらファイル群中のデータがＤＶＤ−ＶＩＤＥＯ規格に従ったアプリケーションデータとなる。このアプリケーションデータは、大別して音声データや動画データなどのプレゼンテーションの実体を格納したプレゼンテーションデータと、プレゼンテーションの実行を制御するためのナビゲーションデータとよりなる。
【００３２】
プレゼンテーションエンジン１２は、ＤＶＤ−ＲＯＭドライバ１０を介して、プレゼンテーションデータを読み込み、プレゼンテーションデータからデマルチプレクサ機能部１２１で音声データを抽出し、抽出した音声データをオーディオデコーダ１２２でデコードして音声出力装置１４に出力する再生出力動作を行う。
【００３３】
また、ノンビデオナビゲーションマネージャ１１は、ナビゲーション制御ユニット１１２と、ユーザインタフェース制御部１１３と、プレゼンテーションシーケンス制御ユニット１１１を有する。プレゼンテーションシーケンス制御ユニット１１１は、ＤＶＤ−ＲＯＭドライバ１０を介して読み込んだナビゲーションデータと、ユーザインタフェース制御部１１３がユーザインタフェース１３より受け取ったユーザ操作とに応じて、プレゼンテーションのシーケンスを決定する。ナビゲーション制御ユニット１１２は、決定された各シーケンスにおける、プレゼンテーションエンジン１２の再生出力動作を制御する。
【００３４】
ここで、ＤＶＤ−ＶＩＤＥＯ規格において、通常のＤＶＤ−ＶＩＤＥＯ再生装置における、プレゼンテーションデータの再生と、メニューの再生がどのように定義されているか、その一例を簡単に示しておく。
前述したようにＤＶＤ−ＶＩＤＥＯディスクは、複数のビデオタイトルＶＴＴを含む。
図２は、各ＶＴＴの再生構造を示したものである。
図示するように、各ＶＴＴは、１以上のプログラムチェインＰＧＣよりなる、ＰＧＣの構成を定義するのがプログラムチェイン情報ＰＧＣＩであり、このＰＧＣＩによって、ＰＧＣに含まれるプログラムＰＧとＰＧの再生順序、ＰＧＣ中の先頭のＰＧの再生前に実行するＰＲＥ　ＣＯＭＡＮＤ、ＰＧＣ中の最後のＰＧの再生後に実行するＰＯＳＴ　ＣＯＭＡＮＤが定義される。
【００３５】
各ＰＧは、１以上のセルＣＥＬＬからなり、各ＣＥＬＬは複数のビデオオブジェクトユニットＶＯＢＵからなり、各ＶＯＢＵは一つのナビゲーションパックＮＶ＿ＰＡＣＫの他に複数のビデオパックＶ＿ＰＡＣＫと複数のオーディオパッックＡ＿ＰＡＣＫと複数のスティルピクチャパックＳＰ＿ＰＡＣＫを持つことができる。そして、ビデオパックＶ＿ＰＡＣＫには動画データがＡ＿ＰＡＣＫには音声データがＳＰ＿ＰＡＣＫには静止画データが格納されている。
【００３６】
ここで、ＰＧＣＩでは、さらに、各セルの再生後に実行するセルコマンドＣＥＬＬ＿ＣＯＭＡＮＤや、各ＶＯＢＵや各ＣＥＬＬやＰＧＣ再生後のスティル（再生停止）動作も定義することができる。また、ＰＧＣＩでは、ＰＧＣ再生終了後に次に実行すべきＰＧＣの指定ＮＥＸＴ＿ＰＧＣＮなども定義することができる。
【００３７】
一方、ＶＯＢＵのＮＶ＿ＰＡＣＫには、各セル再生中に、Ｖ＿ＰＡＣＫとＳＰ＿ＰＡＣＫの再生により表示されるボタンのユーザ選択操作に応じて実行すべきボタンコマンドＢＵＴＴＯＮ　ＣＯＭＡＮＤを定義することができる。
また、ＶＴＴに対しては、パートオブタイトルＰＴＴを定義することができる。ＰＴＴは特定のＰＧＣ中の特定のＰＧを示すエントリポイントである。
ここで、ＰＲＥ　ＣＯＭＡＮＤ、ＰＯＳＴ　ＣＯＭＡＮＤ、ＣＥＬＬ＿ＣＯＭＡＮＤ、ＢＵＴＴＯＮ　ＣＯＭＡＮＤには、実行すべきナビゲーションコマンドを記述することができ、ナビゲーションコマンドには、指定したタイトルやＰＧＣやＰＴＴの再生を指示するコマンドや、指定したメニューの再生を指示するコマンドや、指定したシステムパラメータの変更を行うコマンドなどが含まれる。
【００３８】
次に、図３に示すように、各メニューは１つのＰＧＣよりなる。このＰＧＣの構成は、図２のＶＴＴを構成するＰＧＣと同様である。ただし、メニューに対してはＶＴＴは定義されない。また、ＰＧＣＩのＮＥＸＴ＿ＰＧＣＮは自ＰＧＣを示す。そして、ＰＧＣ中の一つのプログラムがメニューの１ページに対応する。
【００３９】
ＤＶＤ−ＶＩＤＥＯ規格では、以上のようなＶＴＴとメニューの再生構造により、ＤＶＤ−ＶＩＤＥＯのプロパイダが、高い自由度で、プレゼンテーションのシーケンスを定義することができる。
次に、以上のような再生構造が、ＤＶＤ−ＶＩＤＥＯ規格に従ったアプリケーションデータ中において、どのように定義されているのかについて、その一例を説明する。
図４に示すように、ＤＶＤ−ＶＩＤＥＯ規格に従ったアプリケーションデータは、一つのビデオマネージャＶＭＧと、複数のビデオタイトルセットＶＴＳを含む（４ａ）。そして、ＶＭＧは、ビデオマネージャ情報ＶＭＧＩと、ビデオマネージャメニュー用ビデオオブジェクトセットＶＭＧＭ＿ＶＯＢＳを含む（４ｂ）。一方、ＶＴＳは、ビデオタイトルセット情報ＶＴＳＩとビデオタイトルセットメニュー用ビデオオブジェクトセットＶＴＳＭ＿ＶＯＢＳと、ビデオタイトルセットタイトル用ビデオオブジェクトセットＶＴＳＴＴ＿ＶＯＢＳを有する（４ｆ）。ここで、図２、３中の破線のブロックは、再生構造と、以上のＶＭＧＩ、ＶＭＧＭ＿ＶＯＢＳ、ＶＴＳＩ、ＶＴＳＭ＿ＶＯＢＳ、ＶＴＳＴＴ＿ＶＯＢＳとの対応を示している。
【００４０】
ここで、ＶＭＧＭ＿ＶＯＢＳ、ＶＴＳＭ＿ＶＯＢＳ、ＶＴＳＴＴ＿ＶＯＢＳは、同じ構造を有しており、図５に示すように、これらは、１以上のビデオオブジェクトＶＯＢを有し（５ａ）、各ＶＯＢは１以上のＣＥＬＬを有する（５ｂ）。そして、前述したように、各ＣＥＬＬは１以上のＶＯＢＵを有する（５ｃ）。そして、各ＶＯＢＵは一つのＮＶ＿ＰＡＣＫの他に複数のＶ＿ＰＡＣＫと複数のＡ＿ＰＡＣＫと複数のＳＰ＿ＰＡＣＫを持つことができる（５ｄ）。また、ＮＶ＿ＰＡＣＫは、再生制御情報ＰＣＩとデータサーチ情報ＤＳＩを有する（５ｅ）。
【００４１】
そして、図６に示すように、ＰＣＩはハイライト情報ＨＬＩを有し（６ａ）、このＨＬＩはボタン情報テーブルＢＴＮＩＴを含み（６Ｂ）、ＢＴＮＩＴは１以上のボタン情報ＢＴＮＩを有し（６Ｃ）、各ＢＴＮＩには、前述したＢＵＴＴＯＮ　ＣＯＭＡＮＤであるＢＴＮＣＭＤと、選択されたときにＢＴＮＣＭＤが実行されることになるボタンの表示領域の情報であるボタンポジション情報ＢＴＮ＿ＰＯＳＩが定義されている（６ｄ）。
【００４２】
一方、ＤＳＩは、ＤＳＩ一般情報ＤＳＩ＿ＧＩを含み（６ｅ）、ＤＳＩ＿ＧＩには、自ＶＯＢＵが属するＶＯＢのＶＯＢのＩＤ番号ＶＯＢＵ＿ＶＯＢ＿ＩＤＮと、自ＶＯＢＵが属するＣＥＬＬのＩＤ番号ＶＯＢＵ＿Ｃ＿ＩＤが定義されている（６ｆ）。
ここで、以上のＰＣＩ、ＤＳＩ、ＶＭＧＩ、ＶＴＳＩがおおよそ前述したナビゲーションデータに対応し、ＶＯＢＵのＮＶ＿ＰＡＣＫを除く部分が前述したプレゼンテーションデータにおおよそ対応する。
さて、図４に戻り、ＶＭＧＩは、タイトルサーチポインタテーブルＴＴ＿ＳＰＲＴと、ビデオマネージャメニュー用プログラムチェイン情報ユニットテーブルＶＭＧＭ＿ＰＧＣＩ＿ＵＴとを有する（４ｃ）。そして、図７に示すように、タイトルサーチポインタテーブルＴＴ＿ＳＰＲＴは、各タイトル毎のタイトルサーチポインタＴＴ＿ＳＰＲ＃を有し（７ａ）、各ＴＴ＿ＳＰＲ＃には、そのタイトルがＰＧをシーケンシャルに再生する一つのＰＧＣより構成されるワンシーケンシャルＰＧＣであるかどうかを示すタイトルプレイバックタイプＴＴ＿ＰＢ＿ＴＹ、そのタイトルに設定されたＰＴＴの数ＰＴＴ＿Ｎｓ、そのタイトルが属するＶＴＳの番号ＶＴＳＮ、そのタイトルのＶＴＳ内の番号ＶＴＳ＿ＴＴＮ、そのタイトルが属するＶＴＳの先頭アドレスなどが定義されている（７ｂ）。
【００４３】
一方、図４に戻り、ＶＭＧＩは、ビデオマネージャ情報管理テーブルＶＭＧＩ＿＿ＭＡＴと、ビデオマネージャメニュープログラムチェイン情報ユニットテーブルＶＭＧＭ＿ＰＧＣＩ＿ＵＴを有し、ＶＭＧＩ＿＿ＭＡＴには、ＤＶＤ−ＶＩＤＥＯディスク再生開始時に最初に再生すべきＰＧＣＩを示すファーストプレイＰＧＣＩ（ＦＰ＿ＰＧＣＩ）が記述される。また、ＶＭＧＭ＿ＰＧＣＩ＿ＵＴはメニュー用の言語毎に設けられたビデオマネージャメニュー言語ユニットＶＭＧＭ＿ＬＵを有し（４ｄ）、ＶＭＧＭ＿ＬＵは、ビデオマネージャメニュープログラムチェイン情報サーチポインタＶＭＧＭ＿ＰＧＣＩ＿ＳＲＰ＃と、ビデオマネージャメニュープログラムチェイン情報ＶＭＧＭ＿ＰＧＣＩを有する（４ｅ）。そして、このＶＭＧＭ＿ＰＧＣＩが、図３に示したメニューのＰＧＣを規定するＰＧＣＩとなり、一般的には、ＤＶＤ−ＶＩＤＥＯディスク内の各タイトルについて共通に用いられるメニューのＰＧＣを規定する。また、ＶＭＧＭ＿ＰＧＣＩ＿ＳＲＰ＃は、ＶＭＧＭ＿ＰＧＣＩを指し示すポインタであり、ＶＭＧＭ＿ＰＧＣＩ＿ＳＲＰ＃にはナビゲーションコマンド等で指定できるＶＭＧＭ＿ＰＧＣ番号ＶＭＧＭ＿ＰＧＣＮが与えらる。また、ＶＭＧＭ＿ＰＧＣＩ＿ＳＲＰ＃は、図８に示すようにビデオマネージャメニュープログラムチェインカテゴリＶＭＧＭ＿ＣＡＴと、ＶＭＧＭ＿ＰＧＣＩのスタートアドレスを指し示すポインタＶＭＧＭ＿ＰＧＣＩ＿ＳＡを有し（８ａ）、ＶＭＧＭ＿ＣＡＴはＶＭＧＭ＿ＰＧＣＩが、そのビデオマネージャ言語ユニットＶＭＧＭ＿ＰＧＣＩ＿ＬＵ内のエントリＰＧＣ（最初に再生されるＰＧＣ）を規定するものであるかどうかを示すＥｎｔｒｙ　ｔｙｐｅと、ｍｅｎｕ　ＩＤを持つ（８ｂ）。ｍｅｎｕ　ＩＤは、Ｅｎｔｒｙ　ｔｙｐｅがエントリＰＧＣを示すとき、タイトルメニューを示す。
【００４４】
次に、図４に戻り、ＶＴＳＩは、タイトルサーチポインタテーブルＶＴＳ＿ＰＴＴ＿ＳＰＲＴと、ビデオタイトルセットプログラムチェーン情報テーブルＶＴＳ＿ＰＧＣＩＴと、ビデオセットメニュープログラムチェイン情報ユニットテーブルＶＴＳＭ＿ＰＧＣＩ＿ＵＴとを有する（４ｇ）。
【００４５】
そして、ＶＴＳ＿ＰＴＴ＿ＳＰＲＴは、ＶＴＳ内のタイトル毎のタイトルユニットＴＴＵ＃を有し（４ｈ）、各ＴＴＵは、図２に示すように、そのタイトル内に設定されたＰＴＴ毎のパートオブタイトルサーチポインタＰＴＴ＿ＳＲＰ＃を有し（４ｉ）、各ＰＴＴ＿ＳＲＰ＃には、そのＰＴＴがエントリポイントとして設定されたＰＧＣの番号ＰＧＣＮとＰＧの番号ＰＧＮが定義されている（４ｊ）。
【００４６】
また、ＶＴＳ＿ＰＧＣＩＴは、そのＶＴＳ内のタイトル毎に設けられたビデオタイトルセットＰＧＣＩサーチポインタＶＴＳ＿ＰＧＣＩ＿ＳＲＰ＃と、１以上のビデオタイトルセットプログラムチェイン情報ＶＴＳ＿ＰＧＣＩを有する。そして、このＶＴＳ＿ＰＧＣＩが、図２に示したタイトルを構成するＰＧＣを規定するＰＧＣＩとなる。
【００４７】
また、ＶＴＳ＿ＰＧＣＩ＿ＳＲＰ＃は、ＶＴＳ＿ＰＧＣＩを指し示すポインタであり、ＶＴＳ＿ＰＧＣＩ＿ＳＲＰ＃にはナビゲーションコマンド等で指定できるＶＴＳ＿タイトル番号ＶＴＳ＿ＴＴＮが与えらる。また、ＶＴＳ＿ＰＧＣＩ＿ＳＲＰ＃は、図８に示すようにビデオセットプログラムチェインカテゴリＶＴＳ＿ＣＡＴと、ＶＴＳ＿ＰＧＣＩのスタートアドレスを指し示すポインタＶＴＳ＿ＰＧＣＩ＿ＳＡを有し（８ｇ）、ＶＴＳ＿ＣＡＴはＶＴＳ＿ＰＧＣＩが、そのタイトル内のエントリＰＧＣ（最初に再生されるＰＧＣ）を規定するものであるかどうかを示すＥｎｔｒｙ　ｔｙｐｅと、ビデオセットタイトル番号ＶＴＳ＿ＴＴＮを持つ（８ｈ）。
【００４８】
図４に戻り、ＶＴＳＭ＿ＰＧＣＩ＿ＵＴはメニュー用の言語毎に設けられたビデオセットメニュー言語ユニットＶＴＳＭ＿ＰＧＣＩ＿ＬＵを有し（４Ｌ）、ＶＴＳＭ＿ＰＧＣＩ＿ＬＵは、ビデオセットメニュープログラムチェイン情報サーチポインタＶＴＳＭ＿ＰＧＣＩ＿ＳＲＰ＃と、ビデオセットメニュープログラムチェイン情報ＶＴＳＭ＿ＰＧＣＩを有する（４Ｍ）。そして、このＶＴＳＭ＿ＰＧＣＩが、図３に示したメニューのＰＧＣを規定するＰＧＣＩとなり、一般的には、そのＶＴＳ内の各タイトルに対してのメニューのＰＧＣを規定する。また、ＶＴＳＭ＿ＰＧＣＩ＿ＳＲＰ＃は、ＶＴＳＭ＿ＰＧＣＩを指し示すポインタであり、ＶＴＳＭ＿ＰＧＣＩ＿ＳＲＰ＃にはナビゲーションコマンド等で指定できるＶＴＳＭ＿ＰＧＣ番号ＶＴＳＭ＿ＰＧＣＮが与えらる。また、ＶＴＳＭ＿ＰＧＣＩ＿ＳＲＰ＃は、図８に示すようにビデオセットメニュープログラムチェインカテゴリＶＴＳＭ＿ＣＡＴと、ＶＴＳＭ＿ＰＧＣＩのスタートアドレスを指し示すポインタＶＴＳＭ＿ＰＧＣＩ＿ＳＡを有し（８ｄ）、ＶＴＳＭ＿ＣＡＴはＶＴＳＭ＿ＰＧＣＩが、そのビデオセット言語ユニットＶＴＳＭ＿ＰＧＣＩ＿ＬＵ内のエントリＰＧＣ（最初に再生されるＰＧＣ）を規定するものであるかどうかを示すＥｎｔｒｙ　ｔｙｐｅと、ｍｅｎｕ　ＩＤを持つ（８ｅ）。ｍｅｎｕ　ＩＤは、Ｅｎｔｒｙ　ｔｙｐｅがエントリＰＧＣを示すとき、ルートメニュー、サブピクチャメニュー、オーディオメニュー、アングルメニュー、ＰＴＴメニューのいずれかを示す。
【００４９】
次に、図８ｃ、ｆ、ｉに示すように、メニューのＰＧＣを規定するＶＭＧＭ＿ＰＧＣＩやＶＴＳＭ＿ＰＧＣＩ、タイトル再生用のＰＧＣを規定するＶＴＳ＿ＰＧＣＩは、共通の構造を有している。以下では、これらをまとめてＰＧＣＩと呼ぶ。
図９に示すように、ＰＧＣＩは、プログラムチェイン一般情報ＰＧＣ＿ＧＩ、ＰＧＣコマンドテーブルＰＧＣ＿ＣＭＤＴ、プログラムチェーンプログラムマップＰＧＣ＿ＰＧＭＡＰ、セル再生情報テーブルＣ＿ＰＢＩＴ、セル位置情報テーブルＣ＿ＰＯＳＩＴを有する（９ａ）。
そして、ＰＧＣ＿ＧＩは、ＰＧＣ再生時間ＰＧＣ＿ＰＢ＿ＴＭと、プログラムチェインナビゲーションコントロールＰＧＣ＿ＮＶ＿ＣＴＬを有する（９ｂ）。そして、ＰＧＣ＿ＰＢ＿ＴＭには、自ＰＧＣ中のプログラムの全再生時間が時分秒ビデオフレーム数によって記述される。また、ＰＧＣ＿ＮＶ＿ＣＴＬは、図２に示した自ＰＧＣの次に実行すべきＰＧＣを指し示すＮＥＸＴ＿ＰＧＣと、ＰＧＣ内のプログラムの再生順を規定するＰＧ　ｐｌａｙｂｃｋ　ｍｏｄｅと、図２、３に示したプログラムチェイン内の全プログラム再生終了時のスチル時間を規定するＳｔｉｌｌ　ｔｉｍｅ　ｖｏｌｕｅが記述される（９ｃ）。
【００５０】
次に、ＰＧＣコマンドテーブルＰＧＣ＿ＣＭＤＴには、図２、３に示すようにＰＧＣ内のプログラム再生前に実行するＰＲＥ　ＣＯＭＡＮＤ＃と、ＰＧＣ内のプログラム再生後に実行するＰＯＳＴ　ＣＯＭＡＮＤ＃と、ＰＧＣ内のプログラム内の各セル再生後に実行するセルコマンドＣＥＬ＿ＣＭＤ＃が記述される（９ｄ）。
【００５１】
次に、ＰＧＣ＿ＰＧＭＡＰには、ＰＧＣ内の各プログラム内の先頭セルのセル番号ＣＮがＥＮ＿ＣＮとして格納される（９ｄ）。セル番号ＣＮは、次のセル再生情報テーブルＣ＿ＰＢＩＴで規定される（９ｅ）。
次に、セル再生情報テーブルＣ＿ＰＢＩＴには、プログラムチェイン内の各プログラム内の各セルについてセル再生情報Ｃ＿ＰＢＩ＃が、基本的にはセルの再生順に格納され（９ｆ）、各Ｃ＿ＰＯＳＩ＃には格納順にセル番号ＣＮが付与される。そして、各Ｃ＿ＰＢＩ＃は、セルカテゴリＣ＿ＣＡＴを有し（９ｇ）、Ｃ＿ＣＡＴには、図２、３に示したＶＯＢＵ再生後のスチルを規定するＣｅｌｌ　ｐｌａｙｂａｃｋ　ｍｏｄｅ、図２、３に示したＣｅｌｌ再生後のスチルを規定するＣｅｌｌ　ｓｔｉｌｌ　ｔｉｍｅ、図２、３に示したセル終了後に実行すべきセルコマンドの前述したＰＧＣ＿ＣＭＤＴ内の順番を示すＣｅｌｌ　ｃｏｍａｎｄ　ｎｕｍｂｅｒが記述される（９ｈ）。また、各Ｃ＿ＰＢＩ＃は、セルの再生時間を表すＣ＿ＰＢＴＭと、セルの先頭ＶＯＢＵのアドレスを示すＣ＿ＦＶＯＢＵ＿ＳＡと、セルの最終ＶＯＢＵのアドレスを示すＣ＿ＬＶＯＢＵ＿ＳＡを有する。
【００５２】
そして最後に、Ｃ＿ＰＯＳＩＴは、プログラムチェイン内の各プログラム内の各セルについてのセル位置情報Ｃ＿ＰＯＳＩ＃が、Ｃ＿ＰＢＩＴ内と同順に格納されており（９ｉ）、Ｃｅｌｌが属するＶＯＢの番号Ｃ＿ＶＯＢ＿ＩＤＮと、ＣｅｌｌのセルＩＤ番号Ｃ＿ＩＤＮが記述される（９ｊ）。
【００５３】
なお、以上のようなデータ構造において、セルとＶＯＢＵの対応は、基本的には、Ｃ＿ＰＢＩ＃のＣ＿ＦＶＯＢＵ＿ＳＡと、Ｃ＿ＬＶＯＢＵ＿ＳＡと、Ｃ＿ＰＯＳＩ＃のＣ＿ＶＯＢ＿ＩＤＮ、Ｃ＿ＩＤＮと、図６に示したＤＳＩのＤＳＩ＿ＧＩ（６ｅ）中のＶＯＢＵ＿Ｃ＿ＩＤＮとＶＯＢＵ＿ＶＯＢ＿ＩＤＮで定義される。
以上、タイトル、メニューの再生構造と、ＤＶＤ−ＶＩＤＥＯ規格に従ったアプリケーションデータのデータ構造との関係の一例を示した。なお、以上はＤＶＤ−ＶＩＤＥＯ規格で規定される再生構造とデータ構造の本実施形態と関連の強い部分を示したに過ぎず、実際には、この他、パレンタルレベルに応じた再生や、マルチアングル再生などのための再生構造とデータ構造などをも有している。
【００５４】
以下、以上のようなＤＶＤ−ＶＩＤＥＯディスクの音声データを再生する本ＤＶＤビデオ音声再生装置の動作について説明する。
まず、本ＤＶＤビデオ音声再生装置が、再生の対象とするＤＶＤ−ＶＩＤＥＯディスクの再生制御シーケンスについて説明する。
本ＤＶＤビデオ音声再生装置は、図１０ａ、ｂ、ｃに示したような再生制御シーケンスが、ＤＶＤ−ＶＩＤＥＯコンテンツのプロバイダによって定義されているＤＶＤ−ＶＩＤＥＯディスクの音声データを、主として再生の対象としている。
図１０ａの再生制御シーケンスは、ＶＭＧＭ＿ＰＧＣとして定義されたタイトルメニューを表示し、表示したタイトルメニュー上で再生するタイトルのボタン選択を受付、選択されたボタンに定義されたボタンコマンドに従って、選択されたタイトル再生用のＶＴＳ＿ＰＧＣの実行を開始し、タイトルの再生が終了したらタイトル最後のＶＴＳ＿ＰＧＣのポストコマンドに従って、また、タイトルメニューのＶＭＧＭ＿ＰＧＣを実行してタイトルメニューを表示することを繰り返すものである。
【００５５】
また、図１０ｂの再生制御シーケンスは、ＶＭＧＭ＿ＰＧＣとして定義されたタイトルメニューを表示し、表示したタイトルメニュー上で再生するタイトルのボタンの選択を受付け、選択されたボタンに定義されたボタンコマンドに従って、受け付けたタイトル中のチャプターを選択するＰＴＴメニュー用のＶＴＳＭ＿ＰＧＣを実行し、表示したＰＴＴメニュー上で再生するチャプターのボタンの選択を受付、選択されたボタンに定義されたボタンコマンドに従って、チャプター再生用のＶＴＳ＿ＰＧＣの実行を開始し、チャプターの再生が終了したらチャプター最後のＶＴＳ＿ＰＧＣのポストコマンドによって、また、ＰＴＴメニューのＶＴＳＭ＿ＰＧＣを実行して、ＰＴＴメニューを表示することを繰り返すものである。また、ＰＴＴメニューで、ユーザからタイトルメニューに戻るボタンが選択されたならば、そのボタンに定義されたボタンコマンドに従ってタイトルメニューのＶＭＧ＿ＰＧＣを実行し、タイトルメニューを表示するようにしている。なお、この場合、各ＰＴＴは各チャプタの先頭のＰＧＣの先頭ＰＧを指すエントリポイントとなっている。
【００５６】
図１０ｃに示した再生制御シーケンスは、ＶＭＧＭ＿ＰＧＣとして定義されたタイトルメニューを表示し、表示したタイトルメニュー上で再生するタイトルのボタンの選択を受付け、選択されたボタンに定義されたボタンコマンドに従って、受け付けたタイトル用のタイトルルートメニュー用のＶＴＳＭ＿ＰＧＣを実行し、タイトルルートメニュー上でＰＴＴメニューの呼出のボタンが選択されたならば、選択されたボタンに定義されたボタンコマンドに従って、そのタイトル内のチャプターを選択するＰＴＴメニュー用のＶＴＳＭ＿ＰＧＣを実行し、表示したＰＴＴメニュー上で再生するチャプターのボタンの選択を受付、選択されたボタンに定義されたボタンコマンドに従って、チャプター再生用のＶＴＳ＿ＰＧＣの実行を開始し、チャプターの再生が終了したらチャプター最後のＶＴＳ＿ＰＧＣのポストコマンドによって、また、ＰＴＴメニューのＶＴＳＭ＿ＰＧＣを実行して、ＰＴＴメニューを表示することを繰り返すものである。また、タイトルルートメニューやＰＴＴメニューで、ユーザからタイトルメニュー呼出のボタンが選択されたならば、ボタンに定義されたボタンコマンドに従ってタイトルメニュー用のＶＭＧＭ＿ＰＧＣ実行しタイトルメニューを表示するようにしている。また、ＰＴＴメニューでユーザからタイトルルートメニュー呼出のボタンが選択されたならば、ボタンに定義されているボタンコマンドに従ってタイトルルートメニュー用のＶＴＳＭ＿ＰＧＣを実行するようにしている。
【００５７】
また、本ＤＶＤビデオ音声再生装置は、以上のようなタイトルやチャプターが、全てシーケンシャルにＰＧを再生する一つのＰＧＣよりなるワンシーケンシャルＰＧＣである場合を、主として対象としている。
ここで、タイトルメニュー、タイトルルートメニュー、ＰＴＴメニューに設けられるボタンとボタンに定義されるボタンコマンドの関係を図１１に示す。
図１１ａに示すように、タイトルメニューにはタイトル選択のためのボタンが設けられ、そのボタンの選択に応じてタイトル再生用のＰＧＣを実行する場合には、各ボタンにタイトル再生用のナビゲーションコマンドＪＵＭＰ　ＴＴが定義され、そのボタンの選択に応じてタイトルルートメニューを表示する場合には、タイトルルートメニューのＰＧＣを呼び出すナビゲーションコマンドＪＵＭＰＳＳが定義される。
【００５８】
また、図１１ｂに示すように、タイトルルートメニューには、ＰＴＴメニューを含む、そのタイトルについての各種メニューを選択するボタンが設けられ、各ボタンには、各メニューのＰＧＣＩを呼び出すためのナビゲーションコマンドＬＩＮＫ　ＰＧＣＮが定義される。
【００５９】
そして、図１１ｃに示すようにＰＴＴメニューには、そのタイトルの各チャプターを選択するためのボタンが設けられ、各ボタンには、そのチャプターに対応するＰＴＴ再生用のナビゲーションコマンドＪＵＭＰ　ＶＴＳ＿ＰＴＴが定義される。
以下、本ＤＶＤビデオ音声再生装置のＤＶＤ−ＶＩＤＥＯディスクの音声再生動作を説明する。
図１２に、本ＤＶＤビデオ音声再生装置のプレゼンテーションシーケンス制御ユニット１１１が行う音声再生処理の手順を示す。
図示するように、プレゼンテーションシーケンス制御ユニット１１１は、ＤＶＤ−ＶＩＤＥＯディスクの再生に先立ち、ユーザインタフェース制御部１１３、リモートコントローラを介して、ユーザより再生順ルール設定の要求を受付（ステップ１２０２）、要求を受け付けたならば、ユーザより再生順ルールの設定を受け付け、内部に設定パラメータとして保持する（ステップ１２０４）。ここで受け付ける再生順ルールとしては、シーケンシャル、ランダム、再生時間優先の３種類を受け付ける。
【００６０】
その後、ＤＶＤ−ＶＩＤＥＯディスクの装着を検出したならば（ステップ１２０６）、まず、メニュー用言語コードやパレンタルレベルやアングル番号やオーディオストリーム番号などのシステムパラメータを予め定めておいた値に初期設定する（ステップ１２０８）。
【００６１】
そして、ＶＭＧＭＩからタイトルメニュー用のＰＧＣＩを探索し（ステップ１２１０）、ＶＴＳＩから全てのＰＴＴメニュー用のＰＧＣＩを探索する（ステップ１２１２）。
タイトルメニュー用のＰＧＣＩは、初期設定したメニュー用言語コードで示されるＶＭＧＭ＿ＬＵ＃（４ｄ）中の、ＶＭＧＭ＿ＰＧＣＩ＿ＣＡＴ（８ａ）のＭＥＮＵ＿ＩＤ（８ｂ）にタイトルメニューが登録されているＶＭＧＭ＿ＰＧＣＩ＿ＳＲＰ＃（４ｅ）が示すＶＭＧＭ＿ＰＧＣＩ（４ｅ）として求めることができる。または、ＢＴＮ＿ＣＭＤ（６ｄ）にタイトル再生用のナビゲーションコマンドＪＵＭＰＴＴが登録されているＰＣＩ（５ｅ）をＮＶ＿ＰＡＣＫ（５ｄ）に持つＶＯＢＵ（５ｃ）が属するＣＥＬＬ（５ｂ）を含むＰＧを含む、初期設定したメニュー用言語コードで示されるＶＭＧＭ＿ＬＵ＃（４ｄ）中のＶＭＧＭ＿ＰＧＣのＶＭＧＭ＿ＰＧＣＩ（４ｅ）として求めることができる。
【００６２】
また、ＰＴＴメニュー用のＰＧＣＩは、初期設定したメニュー用言語コードで示されるＶＴＳＭ＿ＬＵ＃（４ｌ）中の、ＶＴＳＭ＿ＰＧＣＩ＿ＣＡＴ（８ｄ）のＭＥＮＵ＿ＩＤ（８ｅ）にＰＴＴメニューが登録されているＶＴＳＭ＿ＰＧＣＩ＿ＳＲＰ＃（４ｍ）が示すＶＴＳＭ＿ＰＧＣＩ（４ｍ）として求めることができる。または、ＢＴＮ＿ＣＭＤ（６ｄ）にＰＴＴ再生用のナビゲーションコマンドＪＵＭＰ　ＶＴＳ＿ＰＴＴが登録されているＰＣＩ（５ｅ）をＮＶ＿ＰＡＣＫ（５ｄ）に持つＶＯＢＵ（５ｃ）が属するＣＥＬＬ（５ｂ）を含むＰＧを含む、初期設定したメニュー用言語コードで示されるＶＴＳＭ＿ＬＵ＃（４ｌ）中のＶＴＳＭ＿ＰＧＣのＶＴＳＭ＿ＰＧＣＩ（４ｍ）として求めることができる。
【００６３】
ただし、初期設定したパレンタルレベルに整合しないＶＭＧＭ＿ＰＧＣやＶＴＳＭ＿ＰＧＣであるタイトルメニューやＰＴＴメニューのＰＧＣＩは探索の対象外とする。
タイトルメニュー用のＰＧＣＩとＰＴＴメニュー用のＰＧＣＩが求まったならば、図１３に示すタイトルメニューテーブルと、ＰＴＴメニューテーブルを作成する（ステップ１２１６）。
図１３ａに示すように、タイトルメニューテーブルには、タイトルメニュー用ＰＧＣ内のＶＯＢＵのＮＶ＿ＰＡＣＫのＰＣＩのＢＴＮ＿ＣＭＤ（６ｄ）に記述されていたタイトル再生用のナビゲーションコマンドを、重複するものを除き全て登録する。また、各タイトル再生用のナビゲーションコマンドが再生を指示しているタイトルについてＰＴＴメニューが探索された場合には、そのナビゲーションコマンドに対してＰＴＴメニューフラグをセットする。また、タイトル再生用のナビゲーションコマンドが再生を指示しているタイトルの再生時間を、そのタイトルのＶＴＳ＿ＰＧＣＩ＿ＳＲＰ＃（４ｋ）が示すＶＴＳ＿ＰＧＣＩ（８ｉ）のＰＧＣ＿ＧＩのＰＧＣ＿ＰＢ＿ＴＭ（９ｂ）として、そのナビゲーションコマンドに対して登録する。
【００６４】
一方、図１３ｂに示すように、ＰＴＴメニューテーブルには、タイトル毎に、ＰＴＴメニュー用ＰＧＣ内のＶＯＢＵのＮＶ＿ＰＡＣＫのＰＣＩのＢＴＮ＿ＣＭＤ（６ｄ）に記述されていたＰＴＴ再生用のナビゲーションコマンドを、重複するものを除き全て登録する。また、ＰＴＴ再生用のナビゲーションコマンドが再生を指示しているＰＴＴの再生時間を、そのＰＴＴのＰＴＴ＿ＳＲＰ＃（４ｉ）が示すＶＴＳ＿ＰＧＣＩ（８ｉ）のＰＧＣ＿ＧＩのＰＧＣ＿ＰＢ＿ＴＭ（９ｂ）として、そのナビゲーションコマンドに対して登録する。
【００６５】
図１２に戻り、次に、プレゼンテーションシーケンス制御ユニット１１１は、タイトルメニューテーブルにタイトル再生用のナビゲーションコマンドが登録されたタイトルを再生対象タイトルとして決定する（ステップ１２１６）。そして、決定した再生対象タイトルのタイトル再生順を、先に設定した再生順ルールに従い決定する（ステップ１２１８）。再生順ルールとしてシーケンシャルが設定されている場合にはタイトル番号の小さいものから順にタイトルを再生する再生順を決定し、ランダムが設定されている場合にはランダムに再生順を決定し、再生時間優先が設定されている場合にはタイトルメニューテーブルに登録された再生時間が大きいものから順にタイトルを再生する再生順を決定する。
【００６６】
そして、ＶＴＳ＿ＰＧＣの実行履歴の記録を開始する（ステップ１２２０）。
また、決定した再生順に従い次に再生するタイトルを決定し（ステップ１２２２）、選択したタイトルに対してタイトルメニューテーブルにＰＴＴメニューフラグがセットされているかどうかを調べ（ステップ１２２４）、登録されていなければ、このタイトルの先頭ＶＴＳ＿ＰＧＣが実行済みかどうかをＶＴＳ＿ＰＧＣの実行履歴を参照して調べ（ステップ１２２６）、実行済みでなければ、タイトルメニューに登録されている、そのタイトルのナビゲーションコマンドを実行することにより、そのタイトルの再生を、ナビゲーション制御ユニット１１２に指示する（ステップ１２２８）。タイトルの先頭ＶＴＳ＿ＰＧＣが実行済であれば、後述するステップ１２３２に進む。
【００６７】
タイトルの再生を指示されたナビゲーション制御ユニット１１２は、通常のＤＶＤビデオ再生装置と同様に、そのタイトル先頭のＶＴＳ＿ＰＧＣからＰＧＣの再生を開始し、プレゼンテーションエンジン１２に各ＰＧＣ中のＶＯＢＵ中のＡ＿ＰＡＣＫを再生出力させる。
【００６８】
そして、ナビゲーション制御ユニット１１２は、再生のスチル、ＶＭＧＭ＿ＰＧＣの呼出、ＶＴＳＭ＿ＰＧＣの呼出、その他のＰＧＣ実行停止状態（ＰＧＣ終了時に実行すべき次ＰＧＣが定められない状態を含む）を検出したならば、ＶＴＳ＿ＰＧＣの再生を停止し、これをプレゼンテーションシーケンス制御ユニット１１１に通知する。なお、ここではタイトルの再生終了（ＴＴ＿ＰＢ＿ＴＹ（７ｂ）がワンシーケンシャルＰＧＣを示すタイトルについてのみ、または、全てのタイトルについて、初めのＰＧＣの実行終了をもって、タイトルの再生終了として、ＶＴＳ＿ＰＧＣの再生を停止し、これもプレゼンテーションシーケンス制御ユニット１１１に通知するようにしてもよい。
【００６９】
）ＶＭＧＭ＿ＰＧＣの呼出、ＶＴＳＭ＿ＰＧＣの呼出は、ＶＴＳ＿ＰＧＣ中のＰＯＳＴ＿ＣＯＭＡＮＤの他、ＰＲＥ＿ＣＯＭＡＮＤ、ＣＥＬＬ＿ＣＯＭＡＮＤで発生することがあり、ＰＧＣ実行停止状態は、タイトルの最後などで発生する場合がある。スチルは通常、ＶＭＧＭ＿ＰＧＣの呼出、ＶＴＳＭ＿ＰＧＣの呼出を伴う場合が多いが、必ずしも伴うことが保証されているものではなく、いずれにしても音声のみの再生に関しては無意味である。そして、以上の場合には、通常のＤＶＤ−ＶＩＤＥＯ再生装置における再生においては、次の再生ＶＴＳ＿ＰＧＣを決定するために、何らかのユーザ操作が必要とされる場合が多い。
【００７０】
プレゼンテーションシーケンス制御ユニット１１１は、再生のスチル、ＶＭＧＭ＿ＰＧＣの呼出、ＶＴＳＭ＿ＰＧＣの呼出、ＰＧＣ実行停止状態（または、さらにタイトル再生終了）が通知されたならば（ステップ１２３０）、次に再生すべきタイトルがあるかどうかを調べ（ステップ１２３２）、次に再生すべきタイトルがあれば、ステップ１２２２に戻り、次の再生タイトルを選択し、この再生タイトルについての処理を行う。一方、次に再生すべきタイトルが存在しなけば、ＶＴＳ＿ＰＧＣの実行履歴をクリアし（ステップ１２３４）、ステップ１２１６からの処理に戻る。
【００７１】
一方、ステップ１２２４において、選択したタイトルに対してタイトルメニューテーブルにＰＴＴメニューフラグがセットされていた場合には、そのタイトルに対してＰＴＴメニューテーブルにナビゲーションコマンドが登録されているＰＴＴを再生対象ＰＴＴとして決定する（ステップ１２３６）。そして、決定した再生対象ＰＴＴのＰＴＴ再生順を、先に設定した再生順ルールに従い決定する（ステップ１２３８）。再生順ルールとしてシーケンシャルが設定されている場合にはＰＴＴ番号の小さいものから順にＰＴＴを再生する再生順を決定し、ランダムが設定されている場合にはランダムにＰＴＴ再生順を決定し、再生時間優先が設定されている場合にはＰＴＴメニューテーブルに登録された再生時間が大きいものから順にＰＴＴを再生する再生順を決定する。
【００７２】
そして、決定した再生順に従い次に再生するＰＴＴを決定し（ステップ１２４０）、決定したＰＴＴの先頭ＰＧＣが実行済みかどうかをＶＴＳ＿ＰＧＣの実行履歴を参照して調べ（ステップ１２４２）、実行済みでなければ、ＰＴＴメニューに登録されている、そのＰＴＴのナビゲーションコマンドを実行することにより、そのＰＴＴの再生を、ナビゲーション制御ユニット１１２に指示する（ステップ１２４４）。一方、ＰＴＴの先頭ＰＧＣが実行済みであれな、後述するステップ１２４８に進む。
【００７３】
ＰＴＴの再生を指示されたナビゲーション制御ユニット１１２は、通常のＤＶＤビデオ再生装置と同様に、そのＰＴＴ先頭のＶＴＳ＿ＰＧＣからＰＧＣの再生を開始し、プレゼンテーションエンジン１２に各ＰＧＣ中のＶＯＢＵ中のＡ＿ＰＡＣＫを再生出力させる。
そして、ナビゲーション制御ユニット１１２は、再生のスチル、ＶＭＧＭ＿ＰＧＣの呼出、ＶＴＳＭ＿ＰＧＣの呼出、その他のＰＧＣ実行停止状態が発生したならば、ＶＴＳ＿ＰＧＣの再生を停止し、これをプレゼンテーションシーケンス制御ユニット１１１に通知する。なお、ここではＰＴＴの最初のＰＧＣの終了をもって、ＰＴＴの再生終了として、ＶＴＳ＿ＰＧＣの再生を停止し、これもプレゼンテーションシーケンス制御ユニット１１１に通知するようにしてもよい。
【００７４】
プレゼンテーションシーケンス制御ユニット１１１は、再生のスチル、ＶＭＧＭ＿ＰＧＣの呼出、ＶＴＳＭ＿ＰＧＣの呼出、ＰＧＣ実行停止状態、（または、さらにＰＴＴ再生終了）が通知されたならば（ステップ１２４６）、次に再生すべきＰＴＴがあるかどうかを調べ（ステップ１２４８）、次に再生すべきＰＴＴがあれば、ステップ１２４０に戻り、次の再生ＰＴＴを選択し、この再生ＰＴＴについての処理を行う。
【００７５】
一方、次に再生すべきＰＴＴがなければ、ステップ１２３２に進んで、次に再生すべきタイトルがあるかどうかを調べ、次に再生すべきタイトルがあれば、ステップ１２２２に戻り、次の再生タイトルを選択し、この再生タイトルについての処理を行う。一方、次に再生すべきタイトルが存在しなけば、ＶＴＳ＿ＰＧＣの実行履歴をクリアし、ステップ１２１６からの処理に戻る。
【００７６】
以上、本発明の第１実施形態について説明した。
ところで、以上では、タイトルメニューのＶＭＧＭ＿ＰＧＣ、ＰＴＴメニューのＶＴＳＭ＿ＰＧＣから、各タイトルやチャプターを再生するためのナビゲーションコマンドを抽出しタイトルメニューテーブルやＰＴＴメニューテーブルに登録したが、これはＶＭＧＩ（４ｂ）のＴＴ＿ＳＲＰＴ（４ｃ）のＴＴ＿ＳＲＰ＃（７ａ）やＴＴＵ＃（４ｈ）ＰＴＴ＿ＳＲＰ＃（４Ｉ）から直接ＤＶＤ−ＶＩＤＥＯディスクに含まれるタイトルや各タイトルのＰＴＴを求め、これらを再生するためのナビゲーションコマンドを生成して、タイトルメニューテーブルやＰＴＴメニューテーブルに登録するようにしてもよい。
【００７７】
以下、本発明の第２実施形態について説明する。
本第２実施形態は、前記第１実施形態のＤＶＤビデオ音声再生装置においてタイトルメニューに定義されたタイトル再生用ナビゲーションコマンドが示すタイトルとＰＴＴメニューに定義されたＰＴＴ再生用ナビゲーションコマンドが示すチャプターを再生対象の単位として再生順の決定と自動再生を行っていたところを、メニューとは無関係にＶＴＳ＿ＰＧＣやＶＴＳ＿ＰＧＣ中のＰＧを再生対象の単位として再生順の決定と自動再生を行うようにしたものである。
【００７８】
図１４に、本第２実施形態において、プレゼンテーションシーケンス制御ユニット１１１が行う音声再生処理の手順を示す。
図示するように、プレゼンテーションシーケンス制御ユニット１１１は、前記第１実施形態と同様に、ユーザより再生順ルールの設定を受け付け、内部に設定パラメータとして保持する（ステップ１４０２、１４０４）。また、その後、ＤＶＤ−ＶＩＤＥＯディスクの装着を検出したならば（ステップ１４０６）、まず、メニュー用言語コードやパレンタルレベルやアングル番号やオーディオストリーム番号などのシステムパラメータを予め定めておいた値に初期設定する（ステップ１４０８）。
【００７９】
次に、ＶＭＧのＶＭＧＩのＴＴ＿ＳＲＰＴを参照してＤＶＤ−ＶＩＤＥＯディスク中のタイトルを求め（ステップ１４１０）、各ＶＴＳから、各タイトルについてのタイトルエレメントの情報を収集し（ステップ１４１２）、図１５に示すエレメントテーブルに、各エレメントの識別とエレメントの再生時間を登録する（ステップ１４１４）。ここでタイトルエレメントとは、本第２実施形態における再生対象の単位であり、ＶＴＳ＿ＰＧＣ、または、ＶＴＳ＿ＰＧＣ中のＰＧである。また、タイトルエレメントの再生時間は、ＶＴＳ＿ＰＧＣについてはＶＴＳ＿ＰＧＣＩ（８ｉ）のＰＧＣ＿ＧＩのＰＧＣ＿ＰＢ＿ＴＭ（９ｂ）より、ＰＧについては、ＶＴＳ＿ＰＧＣＩ（８ｉ）のＰＧＣ＿ＰＧＭＡＰより求まる、そのＰＧを構成する各セルのＣ＿ＰＢＩ＃（９ｆ）のＣ＿ＰＢＴＭ（９ｇ）の総和として求まる。
【００８０】
なお、このタイトルエレメントの収集においては、初期設定したパレンタルレベルに整合しないタイトルエレメントは収集の対象外とする。
なお、タイトルやＰＴＴが一つのＰＧＣより構成される場合は、これらのタイトルやＰＴＴもタイトルエレメントとなる。
さて、次に、プレゼンテーションシーケンス制御ユニット１１１は、タイトル再生順を、再生順ルールに従って前記第１実施形態と同様に決定する（ステップ１４１６）。ここで、再生時間優先が設定されている場合に再生順の決定に用いるタイトルの再生時間としては、そのタイトルのＶＴＳ＿ＰＧＣＩ＿ＳＲＰ＃（４ｋ）が示すＶＴＳ＿ＰＧＣＩ（８ｉ）のＰＧＣ＿ＧＩのＰＧＣ＿ＰＢ＿ＴＭ（９ｂ）を用いることとする。
【００８１】
そして、タイトルエレメントの再生の実行履歴の記録を開始する（ステップ１４１８）。
次に、次に再生するタイトルを決定したタイトル再生順に従って決定し（ステップ１４２０）、決定した再生タイトルのタイトルエレメントの再生順を、再生順ルールに従って、タイトルの再生順と同様に決定する（ステップ１４２２）。
そして、決定したタイトルエレメントの再生が実行済みかどうかを、実行履歴を参照して判定し（ステップ１４２６）、実行済みでなければ、そのタイトルエレメントの再生を、ナビゲーション制御ユニット１１２に指示する（ステップ１４２８）。一方、タイトルエレメントの再生が実行済みであれば、後述するステップ１４３４に進む。
【００８２】
タイトルエレメントの再生を指示されたナビゲーション制御ユニット１１２は、そのタイトルエレメントが、ＶＴＳ＿ＰＧＣである場合には、そのＶＴＳ＿ＰＧＣの再生を開始し、プレゼンテーションエンジン１２にＶＴＳ＿ＰＧＣ中のＶＯＢＵ中のＡ＿ＰＡＣＫを再生出力させる。また、ナビゲーション制御ユニット１１２は、そのタイトルエレメントが、ＰＧである場合には、そのＶＰＧの再生を開始し、プレゼンテーションエンジン１２にＰＧ中のＶＯＢＵ中のＡ＿ＰＡＣＫを再生出力させる。
【００８３】
ただし、このとき、ナビゲーション制御ユニット１１２は、スチルは実行しない。
さて、ナビゲーション制御ユニット１１２は、ＶＭＧＭ＿ＰＧＣの呼出、ＶＴＳＭ＿ＰＧＣの呼出、ＰＧＣ実行停止状態、指示されたタイトルエレメントの再生終了、指示されたタイトルエレメント以外への再生タイトルエレメントの変化を検出したならば、再生を停止し、これをプレゼンテーションシーケンス制御ユニット１１１に通知する。
【００８４】
通知を受けた（ステップ１４３０、１４３２）、プレゼンテーションシーケンス制御ユニット１１１は、次に再生すべきタイトルエレメントが存在するかどうかを調べ（ステップ１４３４）、存在する場合には、ステップ１４２４に戻り、次のタイトルエレメントを選択し、この再生タイトルエレメントについての処理を行う。一方、次に再生すべきタイトルエレメントが存在しなけば、次に再生すべきタイトルがあるかどうかを調べ（ステップ１４３６）、存在する場合には、ステップ１４２０に戻り、次のタイトルを選択し、この再生タイトルについての処理を行う。一方、次に再生すべきタイトルが存在しない場合には、タイトルエレメントの再生の実行履歴をクリアし（ステップ１４３８）、ステップ１４１６からの処理に戻る。
【００８５】
以上、本発明の第２実施形態について説明した。
以上、本発明の第１、第２実施形態によれば、ビデオ再生出力機能を備えることなく、ＤＶＤ−ＶＩＤＥＯディスクの各タイトルの音声を再生出力することができるようになる。
なお、以上の第１、第２実施形態におけるプレゼンテーションシーケンス制御ユニット１１１の処理（図１２、１４）は、装着されたＤＶＤ−ＶＩＤＥＯディスク１の音声データの再生出力を通常通りのシーケンスで開始し、その後、ＶＭＧＭ＿ＰＧＣの呼出、ＶＴＳＭ＿ＰＧＣの呼出、スチル、その他のＰＧＣ実行停止状態（ＰＧＣ終了時に実行すべき次ＰＧＣが定められない状態を含む）を検出したときに行うようにしてもよい。このようにすることにより、メニューに依存せずにそのまま再生されるＤＶＤ−ＶＩＤＥＯディスク１については、そのままその再生を行うことができるようになる。なお、ＤＶＤ−ＶＩＤＥＯディスク１再生開始時に最初に実行すべきＰＧＣは、前述のようにＶＭＧＩのＶＭＧＩ＿＿ＭＡＴのＦＰ＿ＰＧＣＩとして定義しておくことができる。
【００８６】
以下、本発明の第３実施形態について説明する。
本第３実施形態は、前記第１実施形態、第２実施形態で示したＤＶＤビデオ音声再生装置のＤＶＤオーディオ再生装置へ適用についてのものである。
図１６に、本第３実施形態に係るＤＶＤオーディオ再生装置の構成を示す。
図示するように、本ＤＶＤオーディオ再生装置は、ＤＶＤ−ＶＩＤＥＯディスク１、ＤＶＤ−ＡＵＤＩＯディスク２にリードアクセスするＤＶＤ−ＲＯＭドライバ１０、ノンビデオナビゲーションマネージャ１１、ＤＶＤ−ＡＵＤＩＯナビゲーションマネージャ２２、切替制御部２１、オーディオ等の再生出力を行うプレゼンテーションエンジン２３、スピーカ等の音声出力装置１４、リモートコントローラなどのユーザインタフェース１３、表示装置２４を有する。
【００８７】
プレゼンテーションエンジン２３は、ＤＶＤ−ＶＩＤＥＯディスク１がＤＶＤ−ＲＯＭドライバ１０にマウントされたときには、ノンビデオナビゲーションマネージャ１１の制御下で、ＤＶＤ−ＶＩＤＥＯディスク１から、プレゼンテーションデータを読み込み、プレゼンテーションデータからデマルチプレクサ機能部３３１で音声データを抽出し、抽出した音声データをオーディオデコーダ１２２でデコードして音声出力装置１４に出力する再生出力動作を行い、ＤＶＤ−ＡＵＤＩＯディスク２がＤＶＤ−ＲＯＭドライバ１０にマウントされたときには、ＤＶＤ−ＡＵＤＩＯナビゲーションマネージャ２２の制御下で、ＤＶＤ−ＡＵＤＩＯディスク２からプレゼンテーションデータを読み込み、プレゼンテーションデータからデマルチプレクサ機能部２３１で音声データと、リアルタイムインフォメーションを抽出し、抽出した音声データをオーディオデコーダ１２２でデコードして音声出力装置１４に出力し、リアルタイムインフォメーションをリアルタイムインフォメーションデコーダ２３２でデコードして表示装置２４に表示出力する再生出力動作を行う。
【００８８】
ノンビデオナビゲーションマネージャ１１は、前記第１、第２実施形態で示したノンビデオナビゲーションマネージャ１１であり、音声出力にはプレゼンテーションエンジン２３を用いるように構成されている。また、ＤＶＤ−ＡＵＤＩＯナビゲーションマネージャ２２は、通常のＤＶＤオーディオ再生装置におけるものと同様の再生制御をプレゼンテーションエンジン２３を用いて行うＤＶＤ−ＡＵＤＩＯ用のナビゲーションマネージャである。
【００８９】
切替制御部２１は、再生対象がＤＶＤ−ＶＩＤＥＯディスクかＤＶＤ−ＡＵＤＩＯディスクかに応じて、このノンビデオナビゲーションマネージャ１１とＤＶＤ−ＡＵＤＩＯナビゲーションマネージャ２２のどちらで再生制御を行うかを切り替える。
すなわち、図１７に示すように切替制御部２１は、ＤＶＤ−ＲＯＭディスクが装着されると（ステップ１７０２）、そのＤＶＤ−ＲＯＭディスクがＤＶＤ−ＶＩＤＥＯディスクか、ＤＶＤ−ＡＵＤＩＯディスクかを判定する。この判定は、ＤＶＤ−ＡＵＤＩＯディスクにおいてＶＭＧと同様の役割を果たすＡＭＧが、ＤＶＤ−ＲＯＭディスク中に記録されていれば、ＤＶＤ−ＡＵＤＩＯディスクと判定し、ＤＶＤ−ＲＯＭディスク中にＡＭＧが記録されておらずＶＭＧが記録されている場合には、ＤＶＤ−ＶＩＤＥＯディスクと判定することにより行う。
【００９０】
そして、装着されたＤＶＤ−ＲＯＭディスクが、ＤＶＤ−ＶＩＤＥＯディスクであればノンビデオナビゲーションマネージャ１１を活性化し（ステップ１７０８）、前記第１、第２実施形態で示したＤＶＤ−ＶＩＤＥＯディスクのビデオコンテンツ中の音声データの再生を行わせる。また、ＤＶＤ−ＲＯＭディスクが、ＤＶＤ−ＡＵＤＩＯディスクであればＤＶＤ−ＡＵＤＩＯナビゲーションマネージャ２２を活性化し（ステップ１７０６）、通常のＤＶＤオーディオ再生装置と同様の動作によりＤＶＤ−ＡＵＤＩＯディスクの音声データ、リアルタイムインフォメーション等の再生を行わせる。
【００９１】
以上、本発明の第３の実施形態について説明した。
以上のように本第３実施形態によれば、ＤＶＤオーディオ再生装置において、ビデオ再生出力機能を備えることなく、ＤＶＤ−ＡＵＤＩＯディスクのコンテンツに加えＤＶＤ−ＶＩＤＥＯディスクのコンテンツの音声も再生出力することができるようになる。
以下、本発明の第４の実施形態について説明する。
本第４実施形態は、前記第１実施形態、第２実施形態で示したＤＶＤビデオ音声再生装置のＤＶＤビデオ再生装置へ適用についてのものである。
図１８に、本第３実施形態に係るＤＶＤビデオ再生装置の構成を示す。
本ＤＶＤビデオ再生装置は、自動車車載用のＤＶＤビデオ再生装置であり、図示するように、ＤＶＤ−ＶＩＤＥＯディスク１にリードアクセスするＤＶＤ−ＲＯＭドライバ１０、ノンビデオナビゲーションマネージャ１１、ＤＶＤ−ＶＩＤＥＯナビゲーションマネージャ３２、切替制御部３１、ビデオの再生出力を行うプレゼンテーションエンジン３３、スピーカ等の音声出力装置１４、表示装置３４、リモートコントローラなどのユーザインタフェース１３、自動車の停車／走行中状態を検出する停車検出部３５を有する。停車検出部３５は、たとえば、自動車の車輪の回転速度を表す車速パルスに応じて自動車の停車／走行中状態を検出するものである。
【００９２】
プレゼンテーションエンジン３３において、デマルチプレクサ機能部３３１は、ＤＶＤ−ＶＩＤＥＯディスクから、プレゼンテーションデータを読み込み、プレゼンテーションデータから音声データ、動画データ、サブピクチャデータ、ボタンのハイライト情報などを抽出する。オーディオデコーダ１２２は、抽出された音声データをデコードして音声出力装置１４に出力し、ビデオデコーダ３３２は抽出された動画データをデコードし、サブピクチャデコーダ３３３はサブピクチャをデコードし、ＰＣＩ、ＨＬＩデコーダ３３４はハイライト情報をデコードしてハイライト画像（ボタン枠等を示すもの）を生成し、合成制御部３３５は、デコードされた動画、サブピクチャ、ハイライト画像を合成して表示装置３４に出力する。
【００９３】
ノンビデオナビゲーションマネージャ１１は、前記第１、第２実施形態で示したノンビデオナビゲーションマネージャ１１であり、音声出力にはプレゼンテーションエンジン３３を用いるように構成されている。また、ＤＶＤ−ＶＩＤＥＯナビゲーションマネージャ３２は、通常のＤＶＤビデオ再生装置におけるものと同様の再生制御をプレゼンテーションエンジン３３を用いて行うナビゲーションマネージャである。
【００９４】
切替制御部３１は、このノンビデオナビゲーションマネージャ１１とＤＶＤ−ＶＩＤＥＯナビゲーションマネージャ３２のどちらで再生制御を行うかを切り替える。
すなわち、図１９に示すように切替制御部３１は、ＤＶＤ−ＶＩＤＥＯディスクが装着されると、停車検出部３５が現在車両の停車中と走行中のいずれを検出しているかを調べ（ステップ１９０２）、走行中であればノンビデオナビゲーションマネジャー１１を活性化する（ステップ１９０４）。一方、停車中であればＤＶＤ−ＶＩＤＥＯナビゲーションマネージャ３２を活性化し（ステップ１９０６）、ＤＶＤ−ＶＩＤＥＯディスクの再生開始を指示する（ステップ１９０８）。活性化されたノンビデオナビゲーションマネジャー１１は、前記第１、第２実施形態と同様にＤＶＤ−ＶＩＤＥＯディスクのビデオコンテンツ中の動画の再生出力はプレゼンテーションエンジン３３に行わせず、ＤＶＤ−ＶＩＤＥＯディスクのビデオコンテンツ中の音声の再生出力のみをプレゼンテーションエンジン３３に行わせる。また、活性化されたＤＶＤ−ＶＩＤＥＯナビゲーションマネージャ３２は、通常のＤＶＤビデオ再生装置と同様の動作によりＤＶＤ−ＡＵＤＩＯディスクの音声、動画、サブピクチャ、ハイライト画像の再生出力をプレゼンテーションエンジン３３に行わせる。
【００９５】
そして、ＤＶＤ−ＶＩＤＥＯナビゲーションマネージャ３２を活性化している状態において、停車検出部３５が車両の走行開始を検出したならば（ステップ１９１０）、ＤＶＤ−ＶＩＤＥＯナビゲーションマネージャ３２に非活性化予告をセットする（ステップ１９１２）。そして、ＤＶＤ−ＶＩＤＥＯナビゲーションマネージャ３２から、現プレゼンテーション終了通知を受け取るの待ち（ステップ１９１４）、ＤＶＤ−ＶＩＤＥＯナビゲーションマネージャ３２から実行履歴を取得し（ステップ１９１６）、ＤＶＤ−ＶＩＤＥＯナビゲーションマネージャ３２を非活性化する（ステップ１９１８）。そして、ノンビデオナビゲーションマネージャ１１にＤＶＤ−ＶＩＤＥＯナビゲーションマネージャ３２から取得した実行履歴をセットし（ステップ１９２０）、ノンビデオナビゲーションマネージャ１１を活性化する（ステップ１９２２）。
【００９６】
一方、ノンビデオナビゲーションマネージャ１１を活性化している状態において、停車検出部３５が車両の停車を検出したならば（ステップ１９２４）、ノンビデオナビゲーションマネージャ１１に非活性化予告をセットし（ステップ１９２６）、ノンビデオナビゲーションマネージャ１１から現セル終了通知を受け取るのを待ち（ステップ１９２８）、ノンビデオナビゲーションマネージャ１１が次に再生するタイトル、ＰＧＣ、ＰＧ、　ＣＥＬＬの識別を取得する（ステップ１９３０）。そして、ノンビデオナビゲーションマネージャ１１を非活性化し（ステップ１９３２）、ＤＶＤ−ＶＩＤＥＯナビゲーションマネージャ３２を活性化して（ステップ１９３４）、ノンビデオナビゲーションマネージャ１１から取得したタイトル、ＰＧＣ、ＰＧ、　ＣＥＬＬからの再生を指示する（ステップ１９３６）。
【００９７】
図２０ａは、ＤＶＤ−ＶＩＤＥＯナビゲーションマネージャ３２の動作を示すものである。
図示するように、ＤＶＤ−ＶＩＤＥＯナビゲーションマネージャ３２は、切替制御部３１から、ＤＶＤ−ＶＩＤＥＯディスクの再生指示を受けたならば（ステップ２００２）、ＤＶＤ−ＶＩＤＥＯディスクの再生を開始する（ステップ２００４）。そして、ノンビデオナビゲーションマネージャ１１が前記第１実施形態の動作を行うものである場合にはＶＴＳ＿ＰＧＣの実行履歴の記録を開始し、ノンビデオナビゲーションマネージャ１１が前記第２実施形態の動作を行うものであれば前述したタイトルエレメントの実行履歴の記録を開始する（ステップ２００６）。
【００９８】
そして、切替制御部３１から非活性化予告がセットされたならば（ステップ２００８）、合成制御部３３５に表示装置への表示出力を停止させる（ステップ２０１０）。
そして、現在再生中のＰＧＣがＶＭＧＭ＿ＰＧＣかＶＴＳＭ＿ＰＧＣであれば（ステップ２０１２、再生を停止し、現プレゼンテーション終了通知を切替制御部３１に送る（ステップ２０１６）。また、現在再生中のＰＧＣがＶＴＳ＿ＰＧＣであれば、スティルかＶＭＧＭ＿ＰＧＣの呼出かＶＴＳＭ＿ＰＧＣの呼出かＰＧＣ実行停止状態が発生するのを待って（ステップ２０１４）、現プレゼンテーション終了通知を切替制御部３１に送る（ステップ２０１６）。
【００９９】
一方、切替制御部３１から、タイトル、ＰＧＣ、ＰＧ、ＣＥＬＬの再生要求を受け取ったならば（ステップ２０１８）、そのタイトルの、そのＰＧＣの、そのＰＧの、そのＣＥＬＬから再生を開始する（ステップ２０２０）。
次に、図２０ｂは、本第４実施形態において、ノンビデオナビゲーションマネージャ１１のプレゼンテーションシーケンス制御ユニット１１１に付加される動作を示すものである。
すなわち、ノンビデオナビゲーションマネージャ１１のプレゼンテーションシーケンス制御ユニット１１１は、非活性化予告をセットされると（ステップ２０５２）、現在再生しているセルの再生が終了し、前述した第１、第２実施形態の動作に従って次に再生するセルが決定したならば、再生を停止し（ステップ２０５４）、現セル終了通知を切替制御部３１に送る（ステップ２０５６）。なお、ノンビデオナビゲーションマネージャ１１において、非活性化予告をセットされた場合には、再生を停止するまで、動画の再生出力もプレゼンテーションエンジン３３に行わせ、合成制御部３３５に表示装置への表示出力を開始させるようにしてもよい。
【０１００】
ここで、ノンビデオナビゲーションマネージャ１１は、図１９ｂに示した処理以外は、基本的に前記第１実施形態、第２実施形態と同様の処理を行うが、ノンビデオナビゲーションマネージャ１１のプレゼンテーションシーケンス制御ユニット１１１は、切替制御部３１から実行履歴をセットされると、セットされた実行履歴を、自身が記録している実行履歴に追加して用いる。また、第２実施形態において、タイトルエレメントとして、ＰＧを用いる場合には、各ＰＧを抽出する際に、そのＰＧを抽出した一つのＰＧＣＩの識別を記録しておき、切替制御部３１に引き渡す次再生対象ＰＧの属するＰＧＣの識別として用いる。
【０１０１】
以上、本発明の第４の実施形態について説明した。
以上のように本第４実施形態によれば車載のＤＶＤビデオ再生装置において、車両の停車中は通常のビデオ再生出力を行い、車両の走行中は自動的に音声のみの再生出力を行う。したがって、運転者は、安全運転が妨げられない音声のみの範囲においてＤＶＤ−ＶＩＤＥＯディスクのコンテンツを楽しむことができるようになる。
【０１０２】
なお、以上の第４実施形態は、停車判定部の停車／走行中の検出内容に代えて、ユーザの所定の操作を、活性化する対象のノンナビゲーションマネージャ１１１とＤＶＤ−ＶＩＤＥＯナビゲーションマネージャ３２の間の切り替えの条件とするようにしてもよい。このようにすることにより、ユーザは、表示装置に接続されていない状態などにおいてもＤＶＤ−ＶＩＤＥＯディスクのコンテンツの音声の再生出力ができるようになる。
【０１０３】
以上、本発明の第４の実施形態について説明した。
以下、本発明の第５の実施形態について説明する。
本第５実施形態は、前記第１実施形態、第２実施形態で示したＤＶＤビデオ音声装置における音声再生の制御の技術を、ＤＶＤビデオ再生装置におけるビデオ再生の制御に応用したものである。
図２１に、本第５実施形態に係るＤＶＤビデオ再生装置の構成を示す。
図示するように、本ＤＶＤビデオ再生装置は、ＤＶＤ−ＶＩＤＥＯディスク１にリードアクセスするＤＶＤ−ＲＯＭドライバ１０、ＤＶＤ−ＶＩＤＥＯナビゲーションマネージャ３２、ビデオの再生出力を行うプレゼンテーションエンジン３３、スピーカ等の音声出力装置１４、表示装置３４、リモートコントローラなどのユーザインタフェース１３を有する。
【０１０４】
ＤＶＤ−ＶＩＤＥＯナビゲーションマネージャ３２は、プレゼンテーションシーケンス制御ユニット３２１と、ナビゲーション制御ユニット３３２と、ユーザインタフェース制御部３２３とを有する。プレゼンテーションシーケンス制御ユニット３２１は、ＤＶＤ−ＲＯＭドライバを介して読み込んだナビゲーションデータと、ユーザインタフェース制御部３２３がユーザインタフェース１３より受け取ったユーザ操作とに応じて、プレゼンテーションのシーケンスを決定する。ナビゲーション制御ユニット３２２は、決定された各シーケンスにおける、プレゼンテーションエンジン３３の再生出力動作を制御する。そして、また、プレゼンテーションエンジン３３は、前記第４実施形態で示したプレゼンテーションエンジン３３と同じ構成を有している。
【０１０５】
以下、このようなＤＶＤビデオ再生装置のＤＶＤ−ＶＩＤＥＯディスクの再生動作を説明する。
図２２に、本ＤＶＤビデオ再生装置のプレゼンテーションシーケンス制御ユニット３２１が、ナビゲーション制御ユニット３２２を制御しながら行う再生処理の手順を示す。
図示するように、プレゼンテーションシーケンス制御ユニット３２１は、ＤＶＤ−ＶＩＤＥＯディスクの再生に先立ち、ユーザインタフェース制御部３２３、ユーザインタフェース１３を介して、ユーザより初期設定の要求を受付（ステップ２２０２）、要求を受け付けたならば、ユーザより自動再生の有無の設定と、再生順ルールの設定とと受け付け、内部に設定パラメータとして保持する（ステップ２２２２）。ここで受け付ける再生順ルールとしては、前記第１、第２実施形態同様にシーケンシャル、ランダム、再生時間優先の３種類を受け付ける。
【０１０６】
その後、ＤＶＤ−ＶＩＤＥＯディスク１の装着を検出したならば（ステップ２２０４）、まず、メニュー用言語コードやパレンタルレベルやアングル番号やオーディオストリーム番号などのシステムパラメータを予め定めておいた値に初期設定する（ステップ２２０６）。そして、ＶＴＳ＿ＰＧＣの実行履歴の記録を開始し（ステップ２２０６）、ＶＭＧＩ＿ＭＡＴ（４ｃ）のＦＰ−ＰＧＣＩが示すファーストプレイＰＧＣからＰＧＣに従った再生を開始する（ステップ２２０８）。なお、本第５実施形態でいう再生とは、音声のみの再生ではなく、動画、音声を含む全てのメディアのプレゼンテーションエンジン３３による再生を指している。
【０１０７】
そして、タイトルを構成するＰＧＣの再生の開始を、監視し（ステップ２２１０）、タイトルを構成するＰＧＣの再生が開始されたならば、以降は、通常通り、ＰＧＣに従った再生を継続する（ステップ２２２４）。なお、タイトルを構成するＰＧＣの再生開始は、タイトル再生コマンドの発生や、ビデオタイトルセットプログラムチェーン情報テーブルＶＴＳ＿ＰＧＣＩＴ内のＶＴＳ＿ＰＧＣの再生開始より検出することができる。
【０１０８】
一方、タイトルの再生の開始前に、メニュー表示中の無限スチルやＰＧＣのループが発生したならば（ステップ２２１２）、自動再生が設定されているかどうかを調べ（ステップ２２１４）、設定されている場合には、ステップ２２２０に進む。
【０１０９】
ここで、メニュー表示中の無限スチルは、再生中のＶＭＣＭ＿ＰＧＣやＶＴＳＭ＿ＰＧＣのＰＧＣＩに設定されているＰＧＣ再生後のスチルを表すＳｔｉｌｌ　ｔｉｍｅ　ｖｏｌｕｅ（９ｃ）が無限スチルを示す場合や、ＰＧＣＩ中に設定されているＣｅｌｌ　ｐｌａｙｂａｃｋ　ｍｏｄｅ（９ｈ）がＰＧＣ中のＰＧ中のセルの再生後の無限スチルを示す場合や、ＰＧＣＩ中に設定されているＣｅｌｌ　ｓｔｉｌｌ　ｔｙｐｅ（９ｈ）がＰＧＣ中のセル中のＶＯＢＵの再生後の無限スチルを示す場合に発生する。したがって、再生中のＶＭＣＭ＿ＰＧＣやＶＴＳＭ＿ＰＧＣのＰＧＣＩの、これらの値より、メニュー表示中の無限スチルを検出することができる。また、メニュー再生中のループは再生中のＶＭＣＭ＿ＰＧＣやＶＴＳＭ＿ＰＧＣのＰＧＣＩ中のＮｅｘｔ＿ＰＧＣＩが自ＰＧＣを示す場合に発生する。したがって、再生中のＶＭＣＭ＿ＰＧＣやＶＴＳＭ＿ＰＧＣのＰＧＣＩのＮｅｘｔ＿ＰＧＣＩより、メニュー表示中のループ発生を検出することができる。なお、メニューのＰＧＣのＮｅｘｔ＿ＰＧＣＩは通常自ＰＧＣを示す。
【０１１０】
さて、メニュー表示中の無限スチルやＰＧＣのループが発生した場合（ステップ２２１２）において、自動再生が設定されていない場合には（ステップ２２１４）、ユーザのメニュー中のボタン操作の発生（ステップ２２１６）と、無限スチルやＰＧＣのループ発生後の所的時間経過（ステップ２２１８）を監視し、所定時間経過前にユーザのボタン操作があったならば、以降は、通常通り、ＰＧＣに従った再生を継続する（ステップ２２２４）。一方、ボタン操作が発生することなく初期時間が経過したならば、ステップ２２２０に進む。
【０１１１】
ステップ２２２０では、前記第１実施形態の図１２の処理のステップ１２１０以降の処理を行う。ただし、図１２の処理のステップ１２２８及びステップ１２２４においては、音声のみの再生ではなく動画、音声を含む全てのメディアのプレゼンテーションエンジン３３による再生を行う。また、ステップ２２０６において既にＶＴＳ＿ＰＧＣの実行履歴の記録を開始しているので、これと同処理である図１２のステップ１２２０の処理は行わない。
【０１１２】
ただし、ステップ２２２０では、前記第１実施形態の図１２の処理のステップ１２１０以降の処理に代えて、前記第２実施形態の図１４の処理のステップ１４１０以降の処理を行うようにしても良い。そして、この場合においては、図１４の処理のステップ１４２８においては、音声のみの再生ではなく動画、音声を含む全てのメディアのプレゼンテーションエンジン３３による再生を行う。また、ステップ２２０６において既にＶＴＳ＿ＰＧＣの実行履歴の記録を開始しているので、これと同処理である図１４ステップ１４１８の処理は行わない。
【０１１３】
以上、本発明の第５の実施形態について説明した。
以下、本発明の第６の実施形態について説明する。
本第６実施形態は、図１０ａに示したようなＶＭＧＭ＿ＰＧＣとして定義されたタイトルメニューをＤＶＤ−ＶＩＤＥＯディスク再生開始直後とタイトル再生終了後に表示して、次に再生するタイトルの選択を受け付ける再生制御シーケンスが、ＤＶＤ−ＶＩＤＥＯコンテンツのプロバイダによって定義されているＤＶＤ−ＶＩＤＥＯディスクをユーザがメニュー操作無しに利用できるようにすることを主眼としている。
【０１１４】
さて、本第６実施形態は、前記第５実施形態におけるＤＶＤビデオ再生装置のプレゼンテーションシーケンス制御ユニット３２１がナビゲーション制御ユニット３２２を制御しながら行う再生処理（図２２の処理）を、図２３の再生処理に置き換えたものである。
【０１１５】
図示するように、本第６実施形態では、ＤＶＤ−ＶＩＤＥＯディスク１の装着を検出したならば（ステップ２３０２）、メニュー用言語コードやパレンタルレベルやアングル番号やオーディオストリーム番号などのシステムパラメータを予め定めておいた値に初期設定する（ステップ２３０４）。そして、ＶＴＳ＿ＰＧＣの実行履歴の記録を開始し（ステップ２３０６）、ＶＭＧＩ＿ＭＡＴのＦＰ−ＰＧＣＩが示すファーストプレイＰＧＣからＰＧＣに従った再生を開始する（ステップ２３０８）。なお、本第６実施形態でいう再生も、音声のみの再生ではなく、動画、音声を含む全てのメディアのプレゼンテーションエンジン３３による再生を指している。
【０１１６】
そして、ＶＭＧＭ＿ＰＧＣの再生中の無限スチルやＰＧＣのループの発生を監視し（ステップ２３１０）、ＶＭＧＭ＿ＰＧＣの再生中の無限スチルやＰＧＣのループが発生したならば、前記第１実施形態と同様にして、そのＶＭＧＭ＿ＰＧＣのＶＯＢＵのＮＶ＿ＰＡＣＫのＰＣＩのＢＴＮ＿ＣＭＤ（６ｄ）に記述されているタイトル再生用のナビゲーションコマンドを入手して解析する（ステップ２３１２）。そして、入手したナビゲーションコマンド中にタイトル再生用のナビゲーションコマンドが含まれていなかったり、タイトル再生用のナビゲーションコマンドが含まれていても、ＶＴＳ＿ＰＧＣの実行履歴を参照して求まる再生済みのタイトルではない、未再生のタイトルのタイトル再生用のナビゲーションコマンドが含まれていない場合には（ステップ２３１４）、ステップ２３２０に進んで、ユーザのボタン操作を待って、ＰＧＣに従った通常の再生動作を継続すると共に、ステップ２３１０に戻って、次の、ＶＭＧＭ＿ＰＧＣの再生中の無限スチルやＰＧＣのループの発生を監視する。
【０１１７】
一方、入手したナビゲーションコマンド中に未再生のタイトルのタイトル再生用のナビゲーションコマンドが含まれている場合には、当該含まれている各未再生タイトルの再生時間をＶＴＳ＿ＰＧＣＩ＿ＳＲＰ＃（４ｋ）が示すＶＴＳ＿ＰＧＣＩ（８ｉ）のＰＧＣ＿ＧＩのＰＧＣ＿ＰＢ＿ＴＭ（９ｂ）として求め、求めた再生時間のうちで最も再生時間が無いタイトルを次再生タイトルに選択し（ステップ２３１６）、その次再生タイトルのタイトル再生用のナビゲーションコマンドを実行することにより、そのタイトルの再生を開始すると共に（ステップ２３１８）、ステップ２３１０に戻って、次の、ＶＭＧＭ＿ＰＧＣの再生中の無限スチルやＰＧＣのループの発生を監視する。
【０１１８】
以上、本発明の第６の実施形態について説明した。
以上の第５、第６実施形態によれば、メニュー等の表示出力や表示上でのユーザ操作の受付を必要とすることなしに、ＤＶＤ−ＶＩＤＥＯディスクの各タイトルの再生の開始や、順次再生を行うことができる。
なお、以上の各実施形態は、ＤＶＤ−ＶＩＤＥＯディスクの再生のみならず、再生の開始または再生の継続のためにメニュー等の表示出力が必須とされる場合がある、任意のコンテンツを記録した記録媒体の再生に、同様に適用することができる。
【０１１９】
【発明の効果】
以上のように、本発明によれば、再生の開始または再生の継続のためにメニュー等の表示出力と表示上でのユーザ操作の受付が必須とされている場合であっても、そのような表示出力や表示上でのユーザ操作の受付を必要とせずに、記憶媒体に記録された音声やビデオといったコンテンツの再生を行うことができる再生装置を提供することができる。
【０１２０】
また、メニュー等の表示出力や表示上でのユーザ操作の受付を必要とすることなしに、ＤＶＤ−ＶＩＤＥＯディスクの音声データを再生することのできるＤＶＤオーディオ再生装置を提供することができる。
また、本発明は、メニュー等の表示出力や表示上でのユーザ操作の受付を必要とすることなしに、ＤＶＤ−ＶＩＤＥＯディスクを再生することのできるＤＶＤビデオ再生装置を提供することができる。
【図面の簡単な説明】
【図１】本発明の第１実施形態に係るＤＶＤ−ＶＩＤＥＯ音声再生装置の構成を示すブロック図である。
【図２】ＤＶＤ−ＶＩＤＥＯ規格におけるタイトルの再生構造を示す図である。
【図３】ＤＶＤ−ＶＩＤＥＯ規格におけるメニューの再生構造を示す図である。
【図４】ＤＶＤ−ＶＩＤＥＯ規格におけるデータ構造を示す図である。
【図５】ＤＶＤ−ＶＩＤＥＯ規格におけるデータ構造を示す図である。
【図６】ＤＶＤ−ＶＩＤＥＯ規格におけるデータ構造を示す図である。
【図７】ＤＶＤ−ＶＩＤＥＯ規格におけるデータ構造を示す図である。
【図８】ＤＶＤ−ＶＩＤＥＯ規格におけるデータ構造を示す図である。
【図９】ＤＶＤ−ＶＩＤＥＯ規格におけるデータ構造を示す図である。
【図１０】本発明の第１実施形態に係るＤＶＤ−ＶＩＤＥＯ音声再生装置が対象とするＤＶＤ−ＶＩＤＥＯディスクの再生制御シーケンス例を示す図である。
【図１１】ＤＶＤ−ＶＩＤＥＯ規格におけるメニューとメニューコマンドの関係を示す図である。
【図１２】本発明の第１実施形態に係るＤＶＤビデオ音声再生装置において行う音声再生処理の手順を示すフローチャートである。
【図１３】本発明の第１実施形態に係るＤＶＤビデオ音声再生装置において用いるテーブルを示す図である。
【図１４】本発明の第２実施形態に係るＤＶＤビデオ音声再生装置において行う音声再生処理の手順を示すフローチャートである。
【図１５】本発明の第２実施形態に係るＤＶＤビデオ音声再生装置において用いるテーブルを示す図である。
【図１６】本発明の第３実施形態に係るＤＶＤオーディオ再生装置の構成を示すブロック図である。
【図１７】本発明の第３実施形態に係るＤＶＤオーディオ再生装置において行う切替処理の手順を示すフローチャートである。
【図１８】本発明の第４実施形態に係るＤＶＤビデオ再生装置の構成を示すブロック図である。
【図１９】本発明の第４実施形態に係るＤＶＤビデオ再生装置において行う切替処理の手順を示すフローチャートである。
【図２０】本発明の第４実施形態に係るＤＶＤビデオ再生装置において行う再生処理等の手順を示すフローチャートである。
【図２１】本発明の第５実施形態に係るＤＶＤビデオ再生装置の構成を示すブロック図である。
【図２２】発明の第５実施形態に係るＤＶＤビデオ再生装置において行う再生処理の手順を示すフローチャートである。
【図２３】発明の第６実施形態に係るＤＶＤビデオ再生装置において行う再生処理の手順を示すフローチャートである。
【図２４】ＤＶＤ−ＡＵＤＩＯ規格におけるデータ構造を示す図である。
【符号の説明】
１：ＤＶＤ−ＶＩＤＥＯディスク、２：ＤＶＤ−ＡＵＤＩＯディスク、１０：ＤＶＤ−ＲＯＭドライバ、１１：ノンビデオナビゲーションマネージャ、１２：プレゼンテーションエンジン、１３：ユーザインタフェース、１４：音声出力装置、２１：切替制御部、２２：ＤＶＤ−ＡＵＤＩＯナビゲーションマネージャ、２３：プレゼンテーションエンジン、２４：表示装置、３１：切替制御部、３２：ＤＶＤ−ＶＩＤＥＯナビゲーションマネージャ、３３：プレゼンテーションエンジン、３４：表示装置、１１１：プレゼンテーションシーケンス制御ユニット、１１２：ナビゲーション制御ユニット、１１３：ユーザインタフェース制御部、１２１：デマルチプレクサ機能部、１２２：オーディオデコーダ、２３１：デマルチプレクサ機能部、２３２：リアルタイムインフォメーションデコーダ、３２１：プレゼンテーションシーケンス制御ユニット、３２２：ナビゲーション制御ユニット、３２３：ユーザインタフェース制御部、３３１：デマルチプレクサ機能部、３３２：ビデオデコーダ、３３３：サブピクチャデコーダ、３３４：ＰＣＩ．ＨＬＩデコーダ、３３５：合成制御部。
【図１】
2004007423.tif 000003
【図２】
2004007423.tif 000004
【図３】
2004007423.tif 000005
【図４】
2004007423.tif 000006
【図５】
2004007423.tif 000007
【図６】
2004007423.tif 000008
【図７】
2004007423.tif 000009
【図８】
2004007423.tif 000010
【図９】
2004007423.tif 000011
【図１０】
2004007423.tif 000012
【図１１】
2004007423.tif 000013
【図１２】
2004007423.tif 000014
【図１３】
2004007423.tif 000015
【図１４】
2004007423.tif 000016
【図１５】
2004007423.tif 000017
【図１６】
2004007423.tif 000018
【図１７】
2004007423.tif 000019
【図１８】
2004007423.tif 000020
【図１９】
2004007423.tif 000021
【図２０】
2004007423.tif 000022
【図２１】
2004007423.tif 000023
【図２２】
2004007423.tif 000024
【図２３】
2004007423.tif 000025
【図２４】
2004007423.tif 000026